(57)【要約】  本発明の例示的な一実施形態に係る送風装置は、上下方向に延びる中心軸を中心とするシャフトと、シャフトを囲むステータと、ステータを保持するハウジングと、を有するモータと、シャフトの上側に連結されたインペラと、インペラを収容し吸気口を有するインペラハウジングと、インペラハウジングの周縁部の下側に位置する排気口と、を備える。排気口は、ハウジングよりも上側に位置し周方向に沿って下側に開口する。
2016194254.tif 000002
【特許請求の範囲】
【請求項１】
上下方向に延びる中心軸を中心とするシャフトと、前記シャフトを囲むステータと、前記ステータを保持するハウジングと、を有するモータと、
前記シャフトの上側に連結されたインペラと、
前記インペラを収容し吸気口を有するインペラハウジングと、
前記インペラハウジングの周縁部の下側に位置する排気口と、
を備え、
前記排気口は、前記ハウジングよりも上側に位置し周方向に沿って下側に開口する、送風装置。
【請求項２】
前記排気口は、中心軸周りの一周にわたって開口する、請求項１に記載の送風装置。
【請求項３】
前記インペラハウジングと前記ハウジングとの間に位置する静翼部材を備え、
前記静翼部材は、
前記インペラハウジングの周縁部の下側に位置する複数の静翼と、
複数の前記静翼を支持する静翼支持リングと、
を有し、
前記静翼支持リングは、下側に向かうにつれて径方向外側に広がる傾斜部を有する、請求項１又は２に記載の送風装置。
【請求項４】
前記静翼部材は、第１静翼部材と、前記第１静翼部材とは別体の第２静翼部材と、を有し、
前記第１静翼部材は、前記静翼支持リングの一部であり前記傾斜部を含む下部静翼支持リングを有し、
前記第２静翼部材は、前記静翼と、前記静翼支持リングの一部であり前記下部静翼支持リングの上側に位置する上部静翼支持リングとを有する、請求項３に記載の送風装置。
【請求項５】
前記第２静翼部材の下部の少なくとも一部は、前記第１静翼部材の上部の少なくとも一部と当接する、請求項４に記載の送風装置。
【請求項６】
前記インペラは、複数の動翼と、前記動翼の下側に位置する円盤状のベース部と、を有し、
前記静翼部材は、上側に突出し前記インペラの径方向外側に位置する円環状の突出部を有し、
前記突出部は、径方向外側に向かうに従って下方に傾斜する外周面を有し、
前記突出部の上端は、前記ベース部の下面よりも上側に位置し、前記ベース部の上面の外端よりも下側に位置する、請求項３から５の何れか一項に記載の送風装置。
【請求項７】
前記静翼部材は、前記静翼支持リングの外側に位置する外周筒部を有し、
前記インペラハウジングは、
前記インペラの上側を覆うインペラハウジング本体部と、
前記インペラハウジング本体部の外周縁から径方向外側および下側に延びる排気ガイド部と、
前記排気ガイド部の外周縁から上側に延びて前記外周筒部と固定される外周取付リングと、
を有し、
前記インペラハウジングの上面には、前記排気ガイド部の上側に位置して周方向に延び、下側に凹む凹部が設けられている、請求項３から６の何れか一項に記載の送風装置。
【請求項８】
前記インペラは、
複数の動翼と、
前記動翼の下側に位置する円盤状のベース部と、
前記動翼の上側において上側に向かうにつれ径方向内側に位置する円筒状のシュラウドと、
を有し、
前記ベース部の外縁は、前記シュラウドの外縁より径方向外側に位置し、
前記ベース部の上面は、径方向外側に向かうにつれて軸方向下側に傾斜するベース部傾斜部を有する、請求項１から７の何れか一項に記載の送風装置。
【請求項９】
前記排気ガイド部は、
内周面が窪むガイド部内側凹部と、
前記ガイド部内側凹部よりも下側に位置し内周面が膨らむガイド部内側凸部と、
を有し、
前記静翼部材は、
上側に突出し前記インペラの径方向外側に位置する円環状の突出部を有し、
前記突出部は、径方向外側に向かうに従って下方に傾斜する外周面を有し、
前記突出部の外周面と前記排気ガイド部の内周面との距離は、前記ガイド部内側凸部と前記突出部の外周面とが対向する領域において、最短となる、
請求項７に記載の送風装置。
【請求項１０】
請求項１から９のいずれか一項に記載の送風装置を有する、掃除機。
【発明の詳細な説明】
【技術分野】
【０００１】
本発明は、送風装置および掃除機に関する。
【背景技術】
【０００２】
掃除機に搭載される電動送風機（送風装置）として、特許文献１および特許文献２に開示されたものがある。
【先行技術文献】
【特許文献】
【０００３】
【特許文献１】日本国公開公報：特開２００１−０１２３９５号公報
【特許文献２】日本国公開公報：特開２００７−０１６７０５号公報
【発明の概要】
【発明が解決しようとする課題】
【０００４】
これらの電動送風機は、電動機部（モータ）の軸方向一端側に配置され、遠心ファンおよびディフューザを含む送風機部の径方向寸法が、電動機部の径方向寸法より大きい。このため、掃除機全体の径方法寸法が大きくなるという問題があった。【０００５】
本発明の一つの態様は、径方向寸法を抑制した送風装置の提供を目的とする。
【課題を解決するための手段】
【０００６】
本発明の例示的な一実施形態に係る送風装置は、上下方向に延びる中心軸を中心とするシャフトと、前記シャフトを囲むステータと、前記ステータを保持するハウジングと、を有するモータと、前記シャフトの上端側に連結されたインペラと、前記インペラを収容し吸気口を有するインペラハウジングと、前記インペラハウジングの周縁部の下側に位置する排気口と、を備え、前記排気口は、前記ハウジングよりも上側に位置し周方向に沿って下側に開口する、送風装置。
【発明の効果】
【０００７】
本発明によれば、径方向寸法を抑制した送風装置を提供できる。
【図面の簡単な説明】
【０００８】
【図１】図１は、実施形態の送風装置を示す断面図。
【図２】図２は、実施形態の送風装置の分解斜視図。
【図３】図３は、実施形態のモータを下側から見た斜視図。
【図４】図４は、実施形態のステータの斜視図。
【図５】図５は、ステータと、回路基板と、下蓋を示す分解斜視図。
【図６】図６は、モータの平断面図。
【図７】図７は、回転センサの実装態様を示す説明図。
【図８】図８は、静翼部材を下側からみた斜視図。
【図９】図９は、インペラ、静翼部材、インペラハウジングの一部を拡大して示す断面図。
【図１０】図１０は、静翼部材の部分側面図。
【図１１】図１１は、インペラの動翼の平面図。
【図１２】図１２は、変形例１の送風装置を示す斜視図。
【図１３】図１３は、変形例１の送風装置を示す断面図。
【図１４】図１４は、変形例１の送風装置の分解斜視図。
【図１５】図１５は、変形例１のモータを下側から見た斜視図。
【図１６】図１６は、変形例１のステータの斜視図。
【図１７】図１７は、変形例１のステータと、センサ基板と、下蓋を示す分解斜視図。
【図１８】図１８は、変形例１のモータの平断面図。
【図１９】図１９は、変形例１の排気誘導部材の部分断面斜視図。
【図２０】図２０は、変形例１の送風装置の第１の誘導路を示す部分拡大断面図。
【図２１】図２１は、変形例１の送風装置の第２の誘導路を示す部分拡大断面図。
【図２２】図２２は、変形例１の送風装置を示す側面図。
【図２３】図２３は、変形例２として採用可能なインペラを示す断面図。
【図２４】図２４は、変形例３の送風装置の縦断面図。
【図２５】図２５は、送風装置を有する掃除機の斜視図である。
【発明を実施するための形態】
【０００９】
以下、図面を参照しながら、本発明の実施形態に係るモータについて説明する。なお、本発明の範囲は、以下の実施の形態に限定されず、本発明の技術的思想の範囲内で任意に変更可能である。また、以下の図面においては、各構成をわかりやすくするために、実際の構造と各構造における縮尺や数等とを異ならせる場合がある。
【００１０】
また、図面においては、適宜３次元直交座標系としてＸＹＺ座標系を示す。ＸＹＺ座標系において、Ｚ軸方向は、図１に示す中心軸Ｊの軸方向と平行な方向とする。Ｙ軸方向は、Ｚ軸方向と直交する方向であって図１の左右方向とする。Ｘ軸方向は、Ｙ軸方向とＺ軸方向との両方と直交する方向とする。
【００１１】
また、以下の説明においては、中心軸Ｊの延びる方向（Ｚ軸方向）を上下方向とする。Ｚ軸方向の正の側（＋Ｚ側）を「上側（軸方向上側）」と呼び、Ｚ軸方向の負の側（−Ｚ側）を「下側（軸方向下側）」と呼ぶ。なお、上下方向、上側および下側とは、単に説明のために用いられる名称であって、実際の位置関係や方向を限定しない。また、特に断りのない限り、中心軸Ｊに平行な方向（Ｚ軸方向）を単に「軸方向」と呼び、中心軸Ｊを中心とする径方向を単に「径方向」と呼び、中心軸Ｊを中心とする周方向を単に「周方向」と呼ぶ。
【００１２】
図１は、本実施形態の送風装置を示す断面図である。図２は、本実施形態の送風装置の分解斜視図である。
送風装置１は、図１及び図２に示すように、モータ１０と、インペラ７０と、静翼部材６０と、インペラ７０を収容し吸気口８０ａを有するインペラハウジング８０と、モータ１０とインペラハウジング８０との間に位置する排気口９５と、を備える。
モータ１０の上側（＋Ｚ側）に、静翼部材６０が取り付けられる。インペラハウジング８０は静翼部材６０の上側に取り付けられる。静翼部材６０とインペラハウジング８０との間にインペラ７０が収容される。インペラ７０は、中心軸Ｊ周りに回転可能にモータ１０に取り付けられる。
【００１３】
［モータ］
図３は、本実施形態のモータを下側から見た斜視図である。
モータ１０は、図１に示すように、下蓋２２と、シャフト３１を有するロータ３０と、シャフト３１を囲むステータ４０と、回路基板５０と、下側ベアリング５２ａ及び上側ベアリング５２ｂと、ステータ４０を保持するハウジング２０と、を有する。すなわち、モータ１０は、シャフト３１と、ステータ４０と、ステータ４０を保持するハウジング２０と、を有する。
【００１４】
ハウジング２０は、ロータ３０と、ステータ４０とを収容する有蓋の円筒容器である。ハウジング２０は、円筒状の周壁２１と、周壁２１の上端に位置する上蓋部２３と、上蓋部２３の中央部に位置する上側ベアリング保持部２７と、を有する。ハウジング２０の内側面に、ステータ４０が固定される。上側ベアリング保持部２７は、上蓋部２３の中央部から上側へ突出する筒状である。上側ベアリング保持部２７は、内部に上側ベアリング５２ｂを保持する。
【００１５】
図１及び図３に示すように、ハウジング２０の周壁の上部側には、ハウジング２０を径方向に貫通する貫通孔２５、２６が設けられている。ハウジング２０の周壁には、３箇所の貫通孔２５と、３箇所の貫通孔２６が、軸周りに交互に位置する（図６参照）。この構成によって、後述する排気口９５から排出された空気の一部がハウジング２０内に流入し、ステータコア４１やコイル４２を冷却することができる。ハウジング２０の周壁２１と上蓋部２３との間には、上蓋部２３を軸周りに取り囲む段差部２８が設けられている。
【００１６】
ハウジング２０の下側（−Ｚ側）の開口部に下蓋２２が取り付けられる。下蓋２２の中央部に、下蓋２２の下面から下側へ突出する筒状の下側ベアリング保持部２２ｃが設けられている。下側ベアリング保持部２２ｃは下側ベアリング５２ａを保持する。
【００１７】
図３に示すように、下蓋２２には、軸周りの３箇所に、径方向に幅を持った円弧状の貫通孔２２ａが設けられている。下蓋２２の外周端には、下蓋２２の外周部を直線状に切り欠いた切欠部２２ｂが３箇所設けられている。ハウジング２０の下側の開口端２０ａと切欠部２２ｂとの間の隙間がモータ１０の下側開口部２４である。
【００１８】
ロータ３０は、図１に示すように、シャフト３１と、ロータマグネット３３と、下側磁石固定部材３２と、上側磁石固定部材３４と、を備える。ロータマグネット３３は、シャフト３１を径方向外側で軸周り（θｚ方向）に囲む円筒状である。下側磁石固定部材３２及び上側磁石固定部材３４は、ロータマグネット３３と同等の直径を有する円筒状である。下側磁石固定部材３２及び上側磁石固定部材３４は、ロータマグネット３３を軸方向両側から挟み込んでシャフト３１に取り付けられている。上側磁石固定部材３４は、中心軸方向の上側部分に、下側（ロータマグネット３３側）よりも小さい直径の小径部３４ａを有する。
【００１９】
シャフト３１は、上下方向に延びる中心軸Ｊを中心とする。シャフト３１は、下側ベアリング５２ａと上側ベアリング５２ｂとによって軸周り（θｚ方向）に回転可能に支持されている。シャフト３１の上側（＋Ｚ側）の端部にインペラ７０が取り付けられる。インペラ７０は、シャフト３１と一体となって軸周りに回転する。
【００２０】
図４は、本実施形態のステータの斜視図である。図５は、ステータ４０と、回路基板５０と、下蓋２２を示す分解斜視図である。図６は、モータ１０の平断面図である。
ステータ４０は、ロータ３０の径方向外側に位置する。ステータ４０は、ロータ３０を軸周り（θｚ方向）に囲んでいる。ステータ４０は、図４及び図５に示すように、ステータコア４１と、複数（３つ）の上側インシュレータ４３と、複数（３つ）の下側インシュレータ４４と、コイル４２と、を有する。
【００２１】
ステータコア４１は、図５に示すように、コアバック部４１ａと、複数（３つ）のティース部４１ｂを有する。コアバック部４１ａは中心軸周りのリング状である。コアバック部４１ａは、軸周りに３箇所の直線部４１ｃと、３箇所の円弧部４１ｄとが交互に位置する構成を有する。ティース部４１ｂは、それぞれ直線部４１ｃの内周面から径方向内側に延びている。ティース部４１ｂは周方向に均等な間隔で配置される。コアバック部４１ａの円弧部４１ｄの上面には、それぞれ、ステータ４０の内側に排気を案内する傾斜部材４６が配置される。傾斜部材４６は、径方向外側から内側へ向かうに従い厚さが薄くなる形状を有する。
【００２２】
上側インシュレータ４３は、ステータコア４１の上面と側面の一部を覆う絶縁部材である。上側インシュレータ４３は、３つのティース部４１ｂにそれぞれ対応して設けられる。上側インシュレータ４３は、コアバック部４１ａの上側に位置する上側外周壁部４３ａと、ティース部４１ｂの先端の上側に位置する上側内周壁部４３ｅと、上側外周壁部４３ａと上側内周壁部４３ｅとを径方向に連結し、ティース部４１ｂのコイルが巻かれる部位の上側に位置する上側絶縁部４３ｄと、を有する。
【００２３】
下側インシュレータ４４は、ステータコア４１の下面と側面の一部を覆う絶縁部材である。下側インシュレータ４４は、３つのティース部４１ｂにそれぞれ対応して設けられる。下側インシュレータ４４は、コアバック部４１ａの下側に位置する下側外周壁部４４ａと、ティース部４１ｂの先端の下側に位置する下側内周壁部４４ｃと、下側外周壁部４４ａと下側内周壁部４４ｃとを径方向に連結し、ティース部４１ｂのコイルが巻かれる部位の下側に位置する下側絶縁部４４ｂと、を有する。
【００２４】
ステータコア４１のティース部４１ｂを上下方向に挟み込むように上側インシュレータ４３と下側インシュレータ４４が配置される。上側インシュレータ４３の上側絶縁部４３ｄと下側インシュレータ４４の下側絶縁部４４ｂとに覆われるティース部４１ｂの周囲にコイル４２が巻き回される。
【００２５】
ステータコア４１のコアバック部４１ａ上に位置する３つの上側外周壁部４３ａは、ステータコア４１の上側においてコイル４２を取り囲む。上側外周壁部４３ａは、周方向の両端に第１側端面４３ｂと第２側端面４３ｃとを有する。第１側端面４３ｂは、径方向に対して傾斜し、径方向外側に面する傾斜面である。第２側端面４３ｃは、径方向に対して傾斜し、径方向内側に面する傾斜面である。上側外周壁部４３ａの外周面のうち、直線部４１ｃ上に位置する部分は、直線部４１ｃの外周面と揃った軸方向に延びる平坦面４３ｆとされる。平坦面４３ｆの周方向の両側には、ハウジング２０の内周面に沿って配置される円弧状の面が設けられる。
【００２６】
図６に示すように、周方向において隣り合う上側外周壁部４３ａ同士は所定の間隔で離れている。隣り合う上側外周壁部４３ａにおいて、一方の上側外周壁部４３ａの第１側端面４３ｂと、他方の上側外周壁部４３ａの第２側端面４３ｃとは、周方向に対向して配置される。第１側端面４３ｂの径方向に対する傾斜度合いと、第２側端面４３ｃの径方向に対する傾斜度合いは異なる。より詳細には、隣り合う上側外周壁部４３ａの間に形成される隙間ＣＬの径方向外側の開口部９０の周方向の幅は、径方向内側の開口部９１の周方向の幅よりも広い。
【００２７】
隙間ＣＬの下方にはコアバック部４１ａ上に配置された傾斜部材４６が位置する。傾斜部材４６は、第１側端面４３ｂと第２側端面４３ｃとの間に挟まれている。隙間ＣＬは、ハウジング２０の貫通孔２６の内側に位置する。貫通孔２６と隙間ＣＬは、ハウジング２０の外側から流入する排気をステータ４０の内側に案内する空気流路となる。上側から見た隙間ＣＬの径方向に対する傾き方向（径方向外側から内側へ向かう方向）は、静翼部材６０から放出される排気の周方向の流通方向と一致する。すなわち、インペラ７０の回転方向と一致する。
【００２８】
図６に示すように、隙間ＣＬの入口側の開口部９０を相対的に大きくしていることで、貫通孔２６からより多くの排気を吸入させることができ、出口側の開口部９１の幅を相対的に狭くしていることで、隙間ＣＬから放出される空気をより正確に狙った位置（コイル４２）に向けて流通させることができる。よって、貫通孔２６から流入する空気によって、よりステータコア４１やコイル４２を効率よく冷却できる。
【００２９】
コアバック部４１ａの下側に位置する３つの下側外周壁部４４ａは、ステータコア４１の下側においてコイル４２を取り囲む。周方向に隣り合う下側外周壁部４４ａの間には隙間が空いているが、下側外周壁部４４ａ同士は周方向で互いに接触していてもよい。下側外周壁部４４ａの外周面のうち、コアバック部４１ａの直線部４１ｃの下側に位置する部分は、直線部４１ｃの外周面と揃った軸方向に延びる平坦面４４ｄとされる。平坦面４４ｄの周方向の両側には、ハウジング２０の内周面に沿って配置される円弧状の面が設けられる。
【００３０】
平坦面４４ｄ上には、軸方向に延びる複数（図示では３つ）の板状部４５が設けられる。図６に示すように、板状部４５は平坦面４４ｄにほぼ垂直に立っている。板状部４５の径方向外側の先端はハウジング２０の内周面に達する。板状部４５は、下側外周壁部４４ａとハウジング２０との間の領域を、周方向に複数の領域に区画する。
【００３１】
回路基板５０は、図１及び図６に示すように、ステータ４０と下蓋２２との間に配置される。回路基板５０は、円形リング状の本体部５０ａと、本体部５０ａの外周縁から径方向に対して斜め方向の外側に突出する３つの突出部５０ｂと、を有する。本体部５０ａはシャフト３１が挿通される貫通孔を有する。回路基板５０は、下側インシュレータ４４に固定される。
【００３２】
回路基板５０には、図６に示すように、３つの回転センサ５１が少なくとも実装される。回転センサ５１は例えばホール素子である。回路基板５０は、コイル４２と電気的に接続されていてもよい。この場合に、コイル４２に対して駆動信号を出力する駆動回路が回路基板５０に実装されていてもよい。
【００３３】
図７は、回転センサ５１の実装態様を示す説明図である。
回転センサ５１は、図６及び図７に示すように、周方向に隣り合う下側内周壁部４４ｃの先端部の間に挟まれて配置される。３つの回転センサ５１は、周方向に１２０°おきの等間隔に配置される。回転センサ５１の径方向内側の面は、ロータマグネット３３と対向する。本実施形態の場合、ロータマグネット３３は、ロータ３０の軸方向の中心部に配置されている。そのため、回転センサ５１は、回路基板５０からロータマグネット３３までの軸方向長さに相当する長さのリード５１ａにより回路基板５０と接続される。３つの回転センサ５１が、周方向に隣り合う下側内周壁部４４ｃの先端部の間に挟まれて配置されることによって、例えば、下側磁石固定部材３２の下にセンサマグネットを配置し、センサマグネットの下にさらに回転センサ５１を配置する構造に比べて、モータ１０の軸方向長さを短くすることができる。
【００３４】
下側内周壁部４４ｃの先端部に、回転センサ５１を支持する機構を設けてもよい。例えば、回転センサ５１を挿入する凹部を設け、回転センサ５１の径方向の移動を抑制することができる。あるいは、スナップフィット等により回転センサ５１を下側内周壁部４４ｃに固定してもよい。
【００３５】
下蓋２２は、ステータ４０と回路基板５０を収容したハウジング２０の開口端２０ａに取り付けられる。図１に示すように、下蓋２２の３つの貫通孔２２ａは、少なくとも一部が回路基板５０の本体部５０ａの外周端よりも径方向外側に位置する。
【００３６】
下蓋２２の外周の切欠部２２ｂは、軸方向に見て、ステータコア４１の直線部４１ｃと、上側インシュレータ４３の平坦面４３ｆと、下側インシュレータ４４の平坦面４４ｄとにほぼ一致して配置される。モータ１０の下面の下側開口部２４は、ステータ４０とハウジング２０との間の空気流路ＦＰの排気口となる。
【００３７】
［静翼部材、インペラ、インペラハウジング］
次に、静翼部材、インペラ、インペラハウジングについて説明する。
図８は、静翼部材を下側から見た斜視図である。図９は、インペラ７０、第１静翼部材６１ａ、第２静翼部材６１ｂ、インペラハウジング８０の一部を拡大して示す断面図である。
【００３８】
＜静翼部材＞
静翼部材６０は、インペラハウジング８０とハウジング２０との間に位置する。静翼部材６０は、図１及び図２に示すように、第１静翼部材６１ａと、第２静翼部材６１ｂとを有する。第１静翼部材６１ａと第２静翼部材６１ｂは軸方向に積層されてモータ１０の上面に取り付けられる。
第１静翼部材６１ａは、下部静翼支持リング６２と、取付リング６３と、３つの連結部６４と、複数の下部静翼６７ｂと、を有する。下部静翼支持リング６２と取付リング６３は同軸に配置され、径方向に延びる３つの連結部６４により連結されている。３つの連結部６４は周方向に１２０°おきの等間隔に配置される。連結部６４は、軸方向に貫通する貫通孔６４ａを有する。３つの貫通孔６４ａは、周方向において１２０°おきの等間隔に配置される。取付リング６３は、上面に取付リング６３と同心の凹溝６３ａを有する。
【００３９】
複数の下部静翼６７ｂは、下部静翼支持リング６２の外周面から径方向外側に突出する。複数の下部静翼６７ｂは、周方向に等間隔に配置される。下部静翼支持リング６２の外周面は、上側に向かって先窄まりのテーパー状である。下部静翼６７ｂは、上側に向かうに従って径方向の幅が大きくなる形状を有する。
【００４０】
第２静翼部材６１ｂは、円板リング状の支持体６６ａと、支持体６６ａの外周縁から下側に延びる円筒状の上部静翼支持リング６６ｂと、複数の上部静翼６７ａと、上部静翼６７ａの径方向外側に接続された外周リング６５と、支持体６６ａの外周縁から上側に突出する円環状の突出部６６ｃと、を有する。複数の上部静翼６７ａは、径方向において、上部静翼支持リング６６ｂの外周面と外周リング６５の内周面とを連結する。上部静翼支持リング６６ｂは、下端部の外周側に一周にわたって延びる段差部６６ｄを有する。
【００４１】
下部静翼支持リング６２および上部静翼支持リング６６ｂは、静翼支持リング６０ａを構成する。すなわち、下部静翼支持リング６２および上部静翼支持リング６６ｂは、静翼支持リング６０ａの一部である。静翼部材６０は、複数の静翼（上部静翼６７ａおよび下部静翼６７ｂ）と、複数の静翼６７ａ、６７ｂを支持する静翼支持リング６０ａと、を有する。すなわち、静翼支持リング６０ａは、上部静翼６７ａおよび下部静翼６７ｂを支持する。上部静翼６７ａおよび下部静翼６７ｂは、インペラハウジング８０の周縁部の下側に位置する。
【００４２】
支持体６６ａは、図８に示すように、中央部の下面から下側へ延びる取付リング６８と、支持体６６ａの下面から下側へ突出する３つの円柱凸部６９と、を有する。取付リング６８は、円筒状の筒部６８ａと、筒部６８ａの下側の端面において径方向の外周部から下側へ突出する円環状の突出部６８ｂと、を有する。３つの円柱凸部６９は、同等の直径及び高さを有し、周方向に１２０°おきの等間隔で配置される。本実施形態において、円柱凸部６９は中空であり、下側の端面６９ａの中央に、軸方向に貫通する貫通孔６９ｂを有する。
【００４３】
図１及び図９に示すように、第１静翼部材６１ａの取付リング６３には、モータ１０の上側ベアリング保持部２７が挿入される。第１静翼部材６１ａの下部静翼支持リング６２の下端面は、モータ１０の段差部２８の上側を向いた段差面２８ａに接触する。
【００４４】
第２静翼部材６１ｂは、第１静翼部材６１ａに取り付けられる。図９に示すように、第２静翼部材６１ｂの取付リング６８に上側ベアリング保持部２７が挿入される。取付リング６８の下側先端の突出部６８ｂは、第１静翼部材６１ａの凹溝６３ａに嵌め込まれる。第２静翼部材６１ｂの上部静翼支持リング６６ｂの段差部６６ｄは、下部静翼支持リング６２の上側開口端に嵌合される。上部静翼支持リング６６ｂの外周面と下部静翼支持リング６２の外周面とは上下方向で滑らかに接続される。第２静翼部材６１ｂは、筒部６８ａおよび上部静翼支持リング６６ｂの下面で、第１静翼部材６１ａの取付リング６３の上面と接触している。すなわち、第２静翼部材６１ｂの下部の少なくとも一部は、第１静翼部材６１ａの上部の少なくとも一部と当接する。なお、第２静翼部材６１ｂの下部は、第２静翼部材６１ｂにおいて下側を向く面であり、第１静翼部材６１ａの上部は、第１静翼部材６１ａにおいて上側を向く面である。これにより、送風装置１の温度が変化したときにも、モータ１０と第２静翼部材６１ｂとの間の締結を強固にすることができる。
【００４５】
第２静翼部材６１ｂの円柱凸部６９は、第１静翼部材６１ａの貫通孔６４ａに挿入される。円柱凸部６９の端面６９ａはモータ１０の上蓋部２３の上面に接触する。円柱凸部６９の貫通孔６９ｂと上蓋部２３のねじ孔２３ａに挿通されるボルトＢＴにより、第２静翼部材６１ｂとモータ１０とが締結される。第１静翼部材６１ａは、第２静翼部材６１ｂの円柱凸部６９により周方向に位置決めされ、第２静翼部材６１ｂの取付リング６８及び上部静翼支持リング６６ｂにより押さえられてモータ１０に固定される。
【００４６】
本実施形態では、静翼部材６１を２つの部材（第１静翼部材６１ａ、第２静翼部材６１ｂ）で構成する一方、モータ１０の金属のハウジング２０との締結を第２静翼部材６１ｂのみとしている。このような固定形態を用いることで、送風装置１の温度が変化したときに、モータ１０と静翼部材６０との間の締結状態に不具合が生じるのを抑制することができる。
【００４７】
具体的に説明すると、仮に、第１静翼部材６１ａと第２静翼部材６１ｂの両方に共通のボルトＢＴを挿通させてモータ１０に固定した場合、ボルトＢＴは２つの樹脂部材を締め込むことになり、温度変化による体積変化量が大きくなる。そうすると、低温環境において静翼部材６０が収縮してガタを生じるおそれがある。これに対して本実施形態では、第２静翼部材６１ｂの円柱凸部６９の端面６９ａをハウジング２０に接触させてボルトＢＴで締結するので、ボルトＢＴにより固定される樹脂部材の厚さを小さくすることができる。これにより、温度変化時の体積変化量が小さくなるので、締結が緩むのを抑制することができる。
【００４８】
図１０は、静翼部材６０の部分側面図である。
図１０に示すように、上部静翼６７ａと下部静翼６７ｂは、周方向に同じ数だけ配置される。上部静翼６７ａと下部静翼６７ｂは、一対一に対応し、軸方向に並んで配置される。本実施形態の場合、上部静翼６７ａの軸方向に対する傾斜角度は、下部静翼６７ｂの軸方向に対する傾斜角度よりも大きい。上部静翼６７ａは、インペラ７０の回転方向に傾いた方向に流れる排気を、効率よく上部静翼６７ａの間に流入させるために比較的大きな角度で傾斜して配置される。下部静翼６７ｂは、排気口９５から放出される排気が径方向外側へ流れないように、排気を下方へ向けて案内する。
【００４９】
本実施形態では、隙間６７ｃは水平方向に延びる隙間であるが、水平方向に対して斜め方向に延びる隙間であってもよい。斜め方向に延びる隙間とする場合、上部静翼６７ａの傾斜方向と同じ方向とすることが好ましい。このような斜め方向の隙間を設けることで、排気が隙間を通るようになり、排気流路９３の全体を有効に利用することができる。
【００５０】
本実施形態では、図９に示すように、排気口９５の近傍において、排気流路９３が径方向外側へ移動する。すなわち、第１静翼部材６１ａの下部静翼支持リング６２の外周面は、下側に向かうにつれて径が大きくなるテーパー状であり、傾斜部６２ａを有する。すなわち、静翼支持リング６０ａは、下側に向かうにつれて径方向外側に広がる傾斜部６２ａを有する。傾斜部６２ａが設けられることで、排気口９５の近傍において、排気流路９３が径方向外側へ移動する。これにより、排気流路９３は、下側に向かうにつれて、径方向の外側に広がり、排気流路９３の水平断面積は、排気口９５に近づくにつれて徐々に大きくなる。これにより、排気口９５から空気が放出される際の排気音を低減することができる。また、第２静翼部材６１ｂの外周リング６５のうち、下部静翼支持リング６２と径方向に対向する下部リング６５ｂは、下側に向かって内周径が広がるスカート状である。これにより、排気流路９３は、径方向の幅を維持したまま径方向外側に広がる。
【００５１】
なお、本実施形態において、静翼部材６０は、第１静翼部材６１ａと、第１静翼部材６１ａとは別体の第２静翼部材６１ｂと、を有する。さらに、第１静翼部材６１ａは、静翼支持リング６０ａの一部であり傾斜部６２ａを含む下部静翼支持リング６２を有する。また、第２静翼部材６１ｂは、上部静翼６７ａおよび下部静翼６７ｂと、静翼支持リング６０ａの一部であり下部静翼支持リング６２の上側に位置する上部静翼支持リング６６ｂを有する。静翼部材６０が、上下に互いに分割された第１静翼部材６１ａおよび第２静翼部材６１ｂから構成されることで、静翼部材６０を金型成形する場合に、単純な金型構成を採用して傾斜部６２ａを成形することができる。
【００５２】
＜インペラ＞
インペラ７０は、シャフト３１の上側に連結されている。インペラ７０は、上側に開口した吸気口７０ａから吸入された流体を、内部の流路を介して径方向外側へ向かって放出する。インペラ７０は、インペラ本体７１と、インペラハブ７２とを有する。
【００５３】
インペラ本体７１は、ベース部７３と、複数の動翼７４と、シュラウド７５とを有する。すなわち、インペラ７０は、ベース部７３と、複数の動翼７４と、シュラウド７５と、を有する。ベース部７３は、動翼７４の下側に位置する。インペラ７０は、複数の動翼と、動翼の下側に位置する円盤状のベース部７３を有する。ベース部７３は中央部に軸方向に貫通する貫通孔７３ａを有する。ベース部７３の貫通孔７３ａの周囲は、上側に張り出した円錐面状の斜面部７３ｂとされている。動翼７４は、ベース部７３の上面において径方向の内側から外側へ延びる、周方向に湾曲した板状部材である。動翼７４は、軸方向に沿って起立して配置される。シュラウド７５は、軸方向の上側に向かって先窄まりの円筒状である。シュラウド７５の中央の開口部がインペラ７０の吸気口７０ａである。ベース部７３とシュラウド７５は、動翼７４により連結されている。
【００５４】
図１１は、インペラ７０の動翼７４の平面図である。
複数の動翼７４は、図１１に示すように、ベース部７３の上面に周方向（θＺ方向）に沿って配置されている。動翼７４は、図１に示すように、ベース部７３の上面から、軸方向に沿って垂直に起立している。
【００５５】
本実施形態においては、３種類の動翼７４が、同じ種類同士で周方向に沿って等間隔に配置される。本実施形態において複数の動翼７４は、複数（３つ）の第１の動翼７４ａと、複数（３つ）の第２の動翼７４ｂと、複数（６つ）の第３の動翼７４ｃを含む。３つの第１の動翼７４ａは、周方向において１２０°おきの等間隔に配置される。第２の動翼７４ｂは、周方向に隣り合う第１の動翼７４ａの中間位置に配置される。３つの第２の動翼７４ｂも、周方向において１２０°おきの等間隔に配置される。第３の動翼７４ｃは、周方向に隣り合う第１の動翼７４ａと第２の動翼７４ｂの中間位置に配置される。６つの第３の動翼７４ｃは、周方向において６０°おきの等間隔に配置される。
【００５６】
動翼７４は、平面視（ＸＹ面視）で、ベース部７３の上面上において、曲率を持って延びている。動翼７４の一端は、ベース部７３の外周縁に位置する。動翼７４の他端は、ベース部７３の外周縁よりも径方向内側に位置する。
【００５７】
すなわち、第１の動翼７４ａ、第２の動翼７４ｂ、第３の動翼７４ｃの径方向外側の端部は、いずれもベース部７３の外周縁に位置する。一方、第１の動翼７４ａの内周側の端部Ｐ１は、最もベース部７３の中心寄りに位置する。第２の動翼７４ｂの内周側の端部Ｐ２は、第１の動翼７４ａの端部Ｐ１よりも径方向外側に位置する。第３の動翼７４ｃの内周側の端部Ｐ３は、第２の動翼７４ｂの端部Ｐ２よりもさらに径方向外側に位置する。この構成によって、インペラ７０内での乱流を低減することができるため、インペラ７０の送風効率が向上する。
【００５８】
第１の動翼７４ａ、第２の動翼７４ｂ、及び第３の動翼７４ｃは、いずれも反時計回り方向に弓なりに湾曲した形状を有する。
第１の動翼７４ａは、曲率半径の異なる４つの円弧からなる。第１の動翼７４ａの凸状の翼面７４ｄは、長さ方向に３つの変曲点ＣＰ１１、ＣＰ１２、ＣＰ１３を有する。
第２の動翼７４ｂは、曲率半径の異なる３つの円弧からなる。第２の動翼７４ｂの凸状の翼面７４ｅは、長さ方向に２つの変曲点ＣＰ２１、ＣＰ２２を有する。
第３の動翼７４ｃは、曲率半径の異なる２つの円弧からなる。第３の動翼７４ｃの凸状の翼面７４ｆは、長さ方向に１つの変曲点ＣＰ３１を有する。
【００５９】
本実施形態において、第１の動翼７４ａの変曲点ＣＰ１１と、第２の動翼７４ｂの変曲点ＣＰ２１と、第３の動翼７４ｃの変曲点ＣＰ３１は、ベース部７３において同一の半径位置Ｃ１上に配置される。また、第１の動翼７４ａの半径位置Ｃ１よりも外側の部分の曲率半径と、第２の動翼７４ｂの半径位置Ｃ１よりも外側の部分の曲率半径と、第３の動翼７４ｃの半径位置Ｃ１よりも外側の部分の曲率半径は、互いに一致する。
【００６０】
次に、第１の動翼７４ａの変曲点ＣＰ１２と、第２の動翼７４ｂの変曲点ＣＰ２２と、第３の動翼７４ｃの端部Ｐ３は、ベース部７３において同一の半径位置Ｃ２上に配置される。また、第１の動翼７４ａの半径位置Ｃ１と半径位置Ｃ２との間の部分の曲率半径と、第２の動翼７４ｂの半径位置Ｃ１と半径位置Ｃ２との間の部分の曲率半径と、第３の動翼７４ｃの半径位置Ｃ１と半径位置Ｃ２との間の部分の曲率半径は、互いに一致する。
【００６１】
次に、第１の動翼７４ａの変曲点ＣＰ１３と、第２の動翼７４ｂの端部Ｐ２は、ベース部７３において同一の半径位置Ｃ３上に配置される。また、第１の動翼７４ａの半径位置Ｃ２と半径位置Ｃ３との間の部分の曲率半径と、第２の動翼７４ｂの半径位置Ｃ２と半径位置Ｃ３との間の部分の曲率半径は、互いに一致する。
【００６２】
本実施形態の動翼７４（７４ａ〜７４ｃ）は、インペラ７０の径方向の領域ごとに、翼面７４ｄ〜７４ｆの曲率半径を異ならせている。一方、異なる種類の動翼７４（第１の動翼７４ａ〜第３の動翼７４ｃ）であっても、同じ径方向の領域に属する部分は、互いに同一の曲率半径に設定される。
【００６３】
本実施形態において、半径位置Ｃ３は、インペラハウジング８０の吸気口８０ａに軸方向から見て一致する。したがって、吸気口８０ａの内側には、第１の動翼７４ａの変曲点ＣＰ１３よりも内周側の部分のみが配置される。
【００６４】
インペラハブ７２は、軸方向に延びる筒部７２ａと、筒部７２ａの外周面の下部から径方向外側に広がる円盤状のフランジ部７２ｂと、フランジ部７２ｂの上面から上側に突出する複数の凸部７２ｃと、を有する。筒部７２ａは、上側の先端部に先窄まりのテーパー状の斜面部７２ｄを有する。
【００６５】
インペラハブ７２は、筒部７２ａをベース部７３の貫通孔７３ａに下側から挿入することでインペラ本体７１に取り付けられる。筒部７２ａは貫通孔７３ａに圧入してもよいし、接着剤等を用いて固着させてもよい。インペラハブ７２のフランジ部７２ｂは、インペラ本体７１を下側から支持する。フランジ部７２ｂ上の凸部７２ｃは、ベース部７３の下面の凹部７３ｃに嵌合する。凸部７２ｃと凹部７３ｃとが嵌合することで、インペラ本体７１とインペラハブ７２との周方向の相対移動が抑制される。
【００６６】
インペラハブ７２がフランジ部７２ｂを備えていることで、フランジ部７２ｂによってインペラ本体７１を径方向の広い範囲にわたって下方から支持することができる。これにより、インペラ７０を安定的に保持することができ、高速回転時の安定性が高くなる。つまり、フランジ部７２ｂによってインペラ本体７１を径方向の広い範囲にわたって下方から支持することができるので、インペラ７０のシャフト３１に対する振れを低減することができる。
【００６７】
インペラ７０において、インペラハブ７２の筒部７２ａの先端の斜面部７２ｄと、ベース部７３の斜面部７３ｂとは、上下方向に滑らかに接続されている。斜面部７２ｄと斜面部７３ｂとが、インペラ７０の吸気口７０ａから吸入した流体を径方向外側へ案内する円環状斜面７０ｂを構成する。
【００６８】
円環状斜面７０ｂをインペラ本体７１とインペラハブ７２とにより構成することで、ベース部７３の斜面部７３ｂを高くしなくても、筒部７２ａ（斜面部７２ｄ）の長さを大きくすることで、円環状斜面７０ｂの最大高さを大きくすることができる。したがって、ベース部７３の厚さの増加を抑制しつつ、好ましい形状の円環状斜面７０ｂを実現することができる。
【００６９】
インペラハブ７２は金属製であることが好ましい。これにより、シャフト３１とインペラ７０とを強固に連結することができる。したがって、インペラ７０を安定的に高速回転させることができる。また、斜面部７２ｄを金属面とすることができるため、円環状斜面７０ｂの上側先端の表面を平滑化することができる。
【００７０】
インペラ７０は、インペラハブ７２の筒部７２ａに下側からシャフト３１の上端部を嵌め込むことで、シャフト３１に固定される。シャフト３１と連結されたインペラ７０は、図１及び図９に示すように、第２静翼部材６１ｂの円環状の突出部６６ｃの内側に配置される。したがって、突出部６６ｃは、インペラ７０の排気口７０ｃの近傍に位置する。
【００７１】
突出部６６ｃは、上部静翼支持リング６６ｂの上端から上側に突出する。突出部６６ｃは、インペラ７０の径方向外側に位置する。すなわち、静翼部材６０は、上側に突出しインペラ７０の径方向外側に位置する円環状の突出部６６ｃを有する。突出部６６ｃは、後述するインペラハウジング８０の排気ガイド部８３とともに、インペラ７０から放出される排気を下側へ案内する。本実施形態では、突出部６６ｃの外周面は、径方向外側に向かうに従って下方へ傾斜する傾斜面６６ｅである。換言すると、突出部６６ｃは、径方向外側に向かうに従って下方に傾斜する外周面を有する。突出部６６ｃの外周面は外側に凸の滑らかな曲面形状である。
【００７２】
突出部６６ｃの外周面の下端は、円筒状の上部静翼支持リング６６ｂの外周面と滑らかに連続している。したがって、突出部６６ｃの下端の水平方向に対する傾斜角度はほぼ９０°である。突出部６６ｃの上端は、インペラ７０のベース部７３の外周端の径方向のすぐ外側に位置する。突出部６６ｃの上端は、ベース部７３の下面よりも上側に位置し、ベース部７３の上面の外端よりも下側に位置する。
【００７３】
本実施形態の送風装置１では、突出部６６ｃが上記した形状及び配置を有することで、インペラ７０から放出される空気を、流れを乱れさせることなく円滑に下方へ案内することができる。インペラ７０の排気口７０ｃの下端では、ベース部７３の外周端からほぼ水平方向に空気が放出される。本実施形態では、突出部６６ｃの上端がベース部７３の上面よりも下がった位置にあるため、放出された空気が突出部６６ｃに衝突することなく、突出部６６ｃの外周面に沿って案内される。これにより、効率よく空気を搬送することができる。また、突出部６６ｃを設けることによって、排気口７０ｃから径方向外側に排気された空気が第２静翼部材６１ｂとベース部７３との軸方向間隙に流入することが低減できる。
【００７４】
＜インペラハウジング＞
インペラハウジング８０は、上側に吸気口８０ａを有し、軸方向上側へ向かって先窄まりの円筒状である。インペラハウジング８０は、吸気口８０ａの開口端に位置する吸気ガイド部８１と、インペラ７０を収容するインペラハウジング本体部８２と、インペラハウジング本体部８２の外周縁から径方向外側及び下側へ延びるスカート状の排気ガイド部８３と、を有する。すなわち、インペラハウジング８０は、インペラ７０を収容し吸気口８０ａを有する。
【００７５】
インペラハウジング本体部８２は、インペラ７０のシュラウド７５に倣った断面形状を有する。インペラハウジング本体部８２の内側面（下面）は、シュラウド７５の外側面（上面）と、一様な間隔で対向する。
【００７６】
インペラハウジング本体部８２の内周側の上端部に、径方向内側へ突出する円環状の吸気ガイド部８１が位置する。吸気ガイド部８１は、図９に示すように、シュラウド７５の上端面７５ｂを上側から覆っている。吸気ガイド部８１の下面と、シュラウド７５の上端面７５ｂとの間には、径方向に延びる狭幅の隙間が存在する。
【００７７】
インペラハウジング本体部８２の外周側端部８２ａは、シュラウド７５の外周端を下側へ回り込み屈曲されている。外周側端部８２ａの内周面とシュラウド７５の外側端面との間には、軸方向上側に延びる狭幅の隙間が存在する。
【００７８】
排気ガイド部８３は、下端面の径方向内側に、周方向の一周にわたる段差部８３ａを有する。段差部８３ａは、図９に示すように、第２静翼部材６１ｂの外周リング６５の段差部６５ａに嵌合される。排気ガイド部８３の内周面と、外周リング６５の内周面は上下方向で滑らかに接続され、排気流路の外周側の壁面を構成する。
【００７９】
排気ガイド部８３の内周面は、インペラ７０の下側に位置する第２静翼部材６１ｂの突出部６６ｃの外周面とともに、インペラ７０から径方向外側へ放出される排気を下側へ案内する排気流路９２を構成する。
【００８０】
図９に示すように、排気ガイド部８３は、ガイド部内側凹部８３ｂと、ガイド部内側凸部８３ｃと、を内周面に有していてもよい。ガイド部内側凹部８３ｂは、内周面が窪む部位である。ガイド部内側凸部８３ｃは、ガイド部内側凹部８３ｂよりも下側に位置し内周面が膨らむ部位である。傾斜面６６ｅと排気ガイド部８３の内周面との距離は、ガイド部内側凸部８３ｃと傾斜面６６ｅとが対向する領域において、最短となる。ここで、傾斜面６６ｅは、突出部６６ｃの外周面である。これにより、送風装置１の効率が向上する。すなわち、インペラ７０によって空気が径方向外側へ排出される際に、傾斜面６６ｅと排気ガイド部８３の内周面との距離が最短になる領域を通過する。当該領域においては、流路の断面積が局所的に狭くなるため、静圧が高くなり、排気ガイド部８３の内周面や、傾斜面６６ｅにおいて、空気の流れが剥離することが低減される。従って、傾斜面６６ｅと排気ガイド部８３の内周面との間に構成される流路内で乱流が発生することが低減され、流路内を効率良く誘導できるため、送風装置１の効率が向上する。
【００８１】
排気流路９２は、図９に示すように、静翼部材６０の排気流路９３に接続される。静翼部材６０の排気流路９３は、図１０に示したように、上部静翼６７ａの間の流路と、下部静翼６７ｂの間の流路からなる。排気流路９３の外部への接続部が排気口９５である。
排気口９５は、インペラハウジング８０の周縁部の下側に位置する。また、排気口９５は、ハウジング２０より上側に位置する。なお、排気口９５は、上下方向の一定の幅をもって開口している。排気口９５は、上端の位置が、ハウジング２０の上端位置より上側に位置していればよい。すなわち、排気口９５の下端位置は、ハウジング２０の上端位置より下側に位置していてもよい。
また、排気口９５は、ハウジング２０よりも上側に位置し周方向に沿って下側に開口する。本実施形態において、排気口９５は、中心軸周りの一周にわたって開口している。これにより、排気口９５が、周方向に沿って均等に排気を行うため、排気効率を高めることができる。この場合、排気口９５は、開口に至るまでの流路が、上部静翼６７ａおよび下部静翼６７ｂで区画されていてもよい。なお、排気口９５は、周方向に沿って間欠的に開口していてもよい。
【００８２】
＜送風動作＞
本実施形態の送風装置１は、モータ１０によりインペラ７０を回転させることで、図１に示すように、吸気口８０ａからインペラ７０内に空気を引き込み、インペラ７０内の空気流路を介して径方向外側へ空気を放出する。インペラ７０から放出された排気は、排気流路９２を介して上部静翼６７ａの間の領域に流入する。上部静翼６７ａは排気を整流して下側へ放出する。下部静翼６７ｂは排気の流通方向を下側へ向けながら、径方向外側へ案内する。その後、排気は排気口９５から送風装置１の外へ排出される。
【００８３】
排気口９５から下側へ放出された排気の一部は、モータ１０のハウジング２０の外周面に沿って下側へ流れる。また、排気口９５から放出された排気の他の一部は、ハウジング２０に設けられた貫通孔２５、２６からモータ１０の内部に流入する。
【００８４】
貫通孔２５を介してモータ１０の内部に流入した一部の排気は、図６に示すステータ４０とハウジング２０との間の空気流路ＦＰに流入する。空気流路ＦＰ内において、排気は下側へ流れる。空気流路ＦＰ内には、図４に示したように、直線部４１ｃ（ステータコア４１）の外周面が露出しており、排気により冷却される。空気流路ＦＰ内には複数の板状部４５が位置しており、空気流路ＦＰ内を流通する排気を整流する。この構成によって、空気流路ＦＰ内を流通する排気の送風効率が向上する。空気流路ＦＰを流通した排気は、モータ１０の下側開口部２４から下方へ排出される。
【００８５】
貫通孔２６を介してモータ１０内に流入した一部の排気は、図６に示すように、隙間ＣＬを介してステータ４０の内側へ流入する。隙間ＣＬを構成する第１側端面４３ｂと第２側端面４３ｃと傾斜部材４６は、隙間ＣＬを通過する排気をコイル４２の側面に案内する。すなわち、傾斜部材４６を設けない場合に比べて、隙間ＣＬを通過する排気が、円弧部４１ｄの上面に当って排気効率が低下することを低減できる。この構成により、モータ１０の発熱部位であるコイル４２を効率よく冷却することができる。排気はコイル４２の周囲を下方へ向かって流通し、モータ１０下面の貫通孔２２ａから下方へ排出される。
【００８６】
本実施形態の送風装置１では、軸周りの環状の排気口９５が、モータ１０よりも上側に配置される。これにより、モータ１０の径方向外周側に、排気のための空気流路部材を設ける必要がなくなる。その結果、より大きな直径のモータ１０を用いることができるようになり、送風装置１の直径を大きくすることなく送風能力を向上させることができる。あるいは、送風能力を維持したまま送風装置１を小型化することができる。
なお、排気口９５は、ステータ４０よりも上側に配置されていればよい。モータ１０の能力と直径との関係はステータ４０の大きさで決定されるため、排気口９５が少なくともステータ４０より上側に配置されていれば、モータ１０の直径から内側に排気口９５を配置することができる。
【００８７】
また、本実施形態では、送風装置１は、３つの隙間ＣＬと、３つの空気流路ＦＰを有している。この構成によって、隙間ＣＬから径方向内側に流入する空気により、ステータコア４１やコイル４２を効率良く冷却することができ、空気流路ＦＰを通って軸方向に流れる空気によって、ステータコア４１を冷却することができる。
【００８８】
＜変形例１＞
図１２は、変形例１の送風装置３０１の斜視図である。図１３は、本変形例の送風装置３０１を示す断面図である。図１４は、制御基板３１１および基板ケース３１５を除く本変形例の送風装置３０１の分解斜視図である。なお、上述の実施形態と同一態様の構成要素については、同一符号を付し、その説明を省略する。
送風装置３０１は、図１２〜図１４に示すように、モータ３１０と、インペラ３７０と、排気誘導部材（静翼部材）３６０と、インペラハウジング３８０と、制御基板３１１と、基板ケース３１５と、排気誘導部材３６０とモータ３１０との間に位置する第３の排気口（排気口）３９５と、を備える。
モータ３１０の上側（＋Ｚ側）には、排気誘導部材３６０が取り付けられる。インペラハウジング３８０は排気誘導部材３６０の上側に取り付けられる。排気誘導部材３６０とインペラハウジング３８０との間にインペラ３７０が収容される。インペラ３７０は、中心軸Ｊ周りに回転可能にモータ３１０に取り付けられる。モータ３１０の下側（−Ｚ側）には、制御基板３１１と制御基板３１１を覆う基板ケース３１５が取り付けられる。
【００８９】
［モータ］
図１５は、本変形例のモータ３１０を下側から見た斜視図である。
モータ３１０は、図１３および図１５に示すように、ハウジング３２０と、下蓋３２２と、シャフト３３１を有するロータ３３０と、ステータ３４０と、センサ基板３５０と、下側ベアリング３５２ａおよび上側ベアリング３５２ｂと、を備える。
【００９０】
ハウジング３２０は、ロータ３３０と、ステータ３４０とを収容する有蓋の円筒容器である。ハウジング３２０は、円筒状の周壁３２１と、周壁３２１の上端に位置する上蓋部３２３と、上蓋部３２３の中央部に位置する上側ベアリング保持部３２７と、を有する。ハウジング３２０の内側面に、ステータ３４０が固定される。上側ベアリング保持部３２７は、上蓋部３２３の中央部から上側へ突出する筒状である。上側ベアリング保持部３２７は、内部に上側ベアリング３５２ｂを保持する。
【００９１】
図１４に示すように、ハウジング３２０の周壁３２１と上蓋部３２３とのエッジ部３２１ａには、複数の貫通孔３２５、３２６が設けられている。３箇所の貫通孔３２５および３箇所の貫通孔３２６は、軸周りに交互に位置する（図１８参照）。貫通孔３２５、３２６は、周壁３２１の上部側から上蓋部３２３の外縁部に達している。貫通孔３２５、３２６は、周壁３２１において径方向に貫通する。また、貫通孔３２５、３２６は、上蓋部の径方向外縁部の近傍において上下方向に貫通している。
【００９２】
ハウジング３２０の下側（−Ｚ側）の開口部に下蓋３２２が取り付けられる。下蓋３２２の中央部に、下蓋３２２の下面から下側へ突出する筒状の下側ベアリング保持部３２２ｃが設けられている。下側ベアリング保持部３２２ｃは下側ベアリング３５２ａを保持する。
【００９３】
図１５に示すように、下蓋３２２には、軸周りの３箇所に、径方向に幅を持った円弧状の貫通孔３２２ａが設けられている。下蓋３２２の外周端には、下蓋３２２の外周部を直線状に切り欠いた切欠部３２２ｂが３箇所設けられている。ハウジング３２０の下側の開口端３２０ａと切欠部３２２ｂとの間の隙間がモータ３１０の下側開口部３２４である。
【００９４】
ロータ３３０は、図１３に示すように、シャフト３３１と、ロータマグネット３３３と、下側磁石固定部材３３２と、上側磁石固定部材３３４と、を備える。ロータマグネット３３３は、シャフト３３１を径方向外側で軸周り（θｚ方向）に囲む円筒状である。下側磁石固定部材３３２および上側磁石固定部材３３４は、ロータマグネット３３３と同等の直径を有する円筒状である。下側磁石固定部材３３２および上側磁石固定部材３３４は、ロータマグネット３３３を軸方向両側から挟み込んでシャフト３３１に取り付けられている。上側磁石固定部材３３４は、中心軸方向の上側部分に、下側（ロータマグネット３３３側）よりも小さい直径の小径部３３４ａを有する。
【００９５】
シャフト３３１は、下側ベアリング３５２ａと上側ベアリング３５２ｂとによって軸周り（θｚ方向）に回転可能に支持されている。シャフト３３１の上側（＋Ｚ側）の端部にインペラ３７０が取り付けられる。インペラ３７０は、シャフト３３１と一体となって軸周りに回転する。
【００９６】
図１６は、本変形例のステータ３４０の斜視図である。図１７は、ステータ３４０と、センサ基板３５０と、下蓋３２２を示す分解斜視図である。図１８は、モータ３１０の平断面図である。
ステータ３４０は、ロータ３３０の径方向外側に位置する。ステータ３４０は、ロータ３３０を軸周り（θｚ方向）に囲んでいる。ステータ３４０は、図１６および図１７に示すように、ステータコア３４１と、複数（３つ）の上側インシュレータ３４３と、複数（３つ）の下側インシュレータ３４４と、コイル３４２と、を有する。また、図１６に示すように、ステータ３４０は、コイル３４２を内部にモールドするモールド部３４７を有する。
【００９７】
ステータコア３４１は、図１７に示すように、コアバック部３４１ａと、複数（３つ）のティース部３４１ｂを有する。コアバック部３４１ａは中心軸周りのリング状である。コアバック部３４１ａは、軸周りに３箇所の直線部３４１ｃと、３箇所の円弧部３４１ｄとが交互に位置する構成を有する。ティース部３４１ｂは、それぞれ直線部３４１ｃの内周面から径方向内側に延びている。ティース部３４１ｂは周方向に均等な間隔で配置される。コアバック部３４１ａの円弧部３４１ｄの上面には、それぞれ、ステータ３４０の内側に排気を案内する傾斜部材３４６が配置される。傾斜部材３４６は、径方向外側から内側へ向かうに従い厚さが薄くなる形状を有する。
【００９８】
上側インシュレータ３４３は、ステータコア３４１の上面と側面の一部を覆う絶縁部材である。上側インシュレータ３４３は、３つのティース部３４１ｂにそれぞれ対応して設けられる。上側インシュレータ３４３は、コアバック部３４１ａの上側に位置する上側外周壁部３４３ａと、ティース部３４１ｂの先端の上側に位置する上側内周壁部３４３ｅと、上側外周壁部３４３ａと上側内周壁部３４３ｅとを径方向に連結し、ティース部３４１ｂのコイルが巻かれる部位の上側に位置する上側絶縁部３４３ｄと、を有する。
【００９９】
下側インシュレータ３４４は、ステータコア３４１の下面と側面の一部を覆う絶縁部材である。下側インシュレータ３４４は、３つのティース部３４１ｂにそれぞれ対応して設けられる。下側インシュレータ３４４は、コアバック部３４１ａの下側に位置する下側外周壁部３４４ａと、ティース部３４１ｂの先端の下側に位置する下側内周壁部３４４ｃと、下側外周壁部３４４ａと下側内周壁部３４４ｃとを径方向に連結し、ティース部３４１ｂのコイルが巻かれる部位の下側に位置する下側絶縁部３４４ｂと、を有する。
【０１００】
ステータコア３４１のティース部３４１ｂを上下方向に挟み込むように上側インシュレータ３４３と下側インシュレータ３４４が配置される。上側インシュレータ３４３の上側絶縁部３４３ｄと下側インシュレータ３４４の下側絶縁部３４４ｂとに覆われるティース部３４１ｂの周囲にコイル３４２が巻き回される。
【０１０１】
ステータコア３４１のコアバック部３４１ａ上に位置する３つの上側外周壁部３４３ａは、ステータコア３４１の上側においてコイル３４２を径方向外側から取り囲む。上側外周壁部３４３ａは、周方向の両端に第１側端面３４３ｂと第２側端面３４３ｃとを有する。第１側端面３４３ｂは、径方向に対して傾斜し、径方向外側に面する傾斜面である。第２側端面３４３ｃは、径方向に対して傾斜し、径方向内側に面する傾斜面である。
【０１０２】
上側外周壁部３４３ａの外周面のうち、直線部３４１ｃ上に位置する部分には、平坦面３４３ｆおよび上側傾斜凸部３４３ｇが周方向に並んで設けられている。平坦面３４３ｆは第２側端面３４３ｃ側に位置し、上側傾斜凸部３４３ｇは第１側端面３４３ｂ側に位置している。平坦面３４３ｆと第２側端面３４３ｃの間には、ハウジング３２０の内周面に沿って配置される円弧状の面が設けられる。また、上側傾斜凸部３４３ｇの外周面は、ハウジング３２０の内周面に沿って円弧状の面となっている。
【０１０３】
平坦面３４３ｆは、ステータコア３４１の直線部３４１ｃの外周面と揃った軸方向に延びる。
上側傾斜凸部３４３ｇは、平坦面３４３ｆに対して径方向外側に突出している。また、上側傾斜凸部３４３ｇは、軸方向下側に突出してステータコア３４１の直線部３４１ｃの一部を径方向外側から覆う。上側傾斜凸部３４３ｇの平坦面３４３ｆと隣接する側面は、軸方向平坦面３４３ｊと、軸方向平坦面３４３ｊの下側に位置する上側誘導傾斜面３４３ｈと、が設けられている。上側誘導傾斜面３４３ｈは、下側にいくにつれて徐々に下側を向く方向に傾斜する。軸方向平坦面３４３ｊと上側誘導傾斜面３４３ｈとは、滑らかに接続されている。上側誘導傾斜面３４３ｈの傾斜方向は、インペラの回転方向と同方向である。この構成によって、空気流路ＦＰを流れる排気の旋回成分は、上側誘導傾斜面３４３ｈと後述する下側誘導傾斜面３４４ｈとによってスムーズに下側に向けられる。これにより、空気流路ＦＰを流れる排気の排気効率を高めることができる。
【０１０４】
図１８に示すように、周方向において隣り合う上側外周壁部３４３ａ同士は所定の間隔で離間されている。隣り合う上側外周壁部３４３ａにおいて、一方の上側外周壁部３４３ａの第１側端面３４３ｂと、他方の上側外周壁部３４３ａの第２側端面３４３ｃとは、周方向に対向して配置される。第１側端面３４３ｂの径方向に対する傾斜度合いと、第２側端面３４３ｃの径方向に対する傾斜度合いは異なる。より詳細には、隣り合う上側外周壁部３４３ａの間に形成される隙間ＣＬの径方向外側の開口部３９０の周方向の幅は、径方向内側の開口部３９１の周方向の幅よりも狭い。
【０１０５】
隙間ＣＬの下方にはコアバック部３４１ａ上に配置された傾斜部材３４６が位置する（図１７参照）。傾斜部材３４６は、第１側端面３４３ｂと第２側端面３４３ｃとの間に挟まれている。隙間ＣＬは、ハウジング３２０の貫通孔３２６の内側に位置する。貫通孔３２６と隙間ＣＬは、ハウジング３２０の外側から流入する排気をステータ３４０の内側に案内する空気流路となる。上側から見た隙間ＣＬの径方向に対する傾き方向（径方向外側から内側へ向かう方向）は、排気誘導部材３６０から放出される排気の周方向の流通方向と一致する。すなわち、インペラ３７０の回転方向と一致する。
【０１０６】
図１８に示すように、隙間ＣＬの入口側の開口部３９０を出口側の開口部３９１より相対的に大きくしていることで、貫通孔３２６からより多くの排気を吸入させることができ、出口側の開口部３９１の幅を相対的に狭くしていることで、隙間ＣＬから放出される空気をより正確に狙った位置（コイル３４２）に向けて流通させることができる。
【０１０７】
図１７に示すように、コアバック部３４１ａの下側に位置する３つの下側外周壁部３４４ａは、ステータコア３４１の下側においてコイル３４２を径方向外側から取り囲む。周方向に隣り合う下側外周壁部３４４ａの間には隙間が空いているが、下側外周壁部３４４ａ同士は周方向で互いに接触していてもよい。
【０１０８】
下側外周壁部３４４ａの外周面のうち、コアバック部３４１ａの直線部３４１ｃの下側に位置する部分には、平坦面３４４ｄおよび下側傾斜凸部３４４ｇが周方向に並んで設けられている。平坦面３４４ｄと下側傾斜凸部３４４ｇとが設けられる領域の周方向両側には、ハウジング３２０の内周面に沿って配置される円弧状の面が設けられている。
【０１０９】
平坦面３４４ｄは、直線部３４１ｃの外周面と揃った軸方向に延びる。
下側傾斜凸部３４４ｇは、平坦面３４４ｄに対して径方向外側に突出している。また、下側傾斜凸部３４４ｇは、軸方向上側に突出してステータコア３４１の直線部３４１ｃを一部覆う。下側傾斜凸部３４４ｇの平坦面３４４ｄと隣接する側面は、軸方向平坦面３４４ｊと、軸方向平坦面３４４ｊの上側に位置する下側誘導傾斜面３４４ｈが設けられている。下側誘導傾斜面３４４ｈは、上側にいくにつれて徐々に上側を向く方向に傾斜する。軸方向平坦面３４４ｊと下側誘導傾斜面３４４ｈとは、滑らかに接続されている。下側誘導傾斜面３４４ｈの傾斜方向は、インペラの回転方向と同方向である。
【０１１０】
図１６に示すように、下側インシュレータ３４４の下側傾斜凸部３４４ｇと上側インシュレータ３４３の上側傾斜凸部３４３ｇとは、隙間を介して周方向および軸方向にずらして配置されている。下側誘導傾斜面３４４ｈと上側誘導傾斜面３４３ｈとは、隙間を介して互いに対向している。下側誘導傾斜面３４４ｈと上側誘導傾斜面３４３ｈとの間の隙間は、ステータ３４０とハウジング３２０との間の空気流路ＦＰとなる。空気流路ＦＰを流れる排気の旋回成分は、下側誘導傾斜面３４４ｈと上側誘導傾斜面３４３ｈとによってスムーズに下側に向けられる。これにより、空気流路ＦＰを流れる排気の排気効率を高めることができる。
【０１１１】
平坦面３４４ｄ上には、軸方向に延びる複数（図示では２つ）の板状部３４５が設けられる。板状部３４５は平坦面３４４ｄにほぼ垂直に立っている。板状部３４５の径方向外側の先端はハウジング３２０の内周面に達する。板状部３４５は、下側外周壁部３４４ａとハウジング３２０との間の領域を、周方向に複数の領域に区画する。
【０１１２】
モールド部３４７は、図１６に示すように、ステータ３４０において、上側インシュレータ３４３の上側外周壁部３４３ａおよび下側インシュレータ３４４の下側外周壁部３４４ａに囲まれた領域を埋め込んで成形されている。モールド部３４７は、軸方向に沿って、上側インシュレータ３４３の上端から下側インシュレータ３４４の下端まで達している。また、モールド部３４７には、ロータ３３０を通過させるための貫通孔３４７ａが設けられている。モールド部３４７は、コイル３４２を囲んで強固に支持するとともに、上側インシュレータ３４３、下側インシュレータ３４４、ステータコア３４１およびセンサ基板３５０を一体に保持する。
【０１１３】
モールド部３４７の外周面には、上部側から下端まで達する凹溝状の３つの排気誘導孔３４８が設けられている。凹溝状の排気誘導孔３４８は、上下方向の中程でステータコア３４１のコアバック部３４１ａに覆われている。図１３に示すように、排気誘導孔３４８は、コアバック部３４１ａの上側に位置する上部開口３４８ａで径方向外側に開口する。排気誘導孔３４８は、上部開口３４８ａの径方向内側において下側に向かって滑らかに傾斜する傾斜面３４８ｃを有する。また、排気誘導孔３４８は、モールド部３４７の下端面に位置する下部開口３４８ｂで下側に開口する。下部開口３４８ｂは、下蓋３２２の貫通孔３２２ａの直上に位置する。
【０１１４】
図１６に示すように、排気誘導孔３４８の上部開口３４８ａは、上側インシュレータ３４３の第１側端面３４３ｂと第２側端面３４３ｃとの間の３つの隙間ＣＬにそれぞれ面している。図１８に示すように、排気誘導孔３４８の幅は、隙間ＣＬの径方向内側に位置する開口部３９１の幅と一致している。また、図１３に示すように、排気誘導孔３４８は、モールド部３４７の外周面から開口して下側に延びている。ただし、排気誘導孔３４８の幅と、開口部３９１の幅は、必ずしも同じ幅である必要はなく、異なる幅でも良い。
【０１１５】
隙間ＣＬからステータ３４０の径方向内側に放出される排気は、上部開口３４８ａから排気誘導孔３４８に導入され、傾斜面３４８ｃに沿って流動方向を下側に向けられる。さらに、排気は、排気誘導孔３４８の内部を通過して下部開口３４８ｂを介してステータ３４０の下側に放出される。モールド部３４７に排気誘導孔３４８を設けることで、コイル３４２の間を流れる排気を乱すことなく下側に向かってスムーズに排出でき、排気効率を高めることができる。なお、ステータ３４０が、モールド部３４７を有さない場合には、排気誘導孔３４８を備えた部材をコイル３４２同士の間に配置してもよい。なお、下部開口３４８ｂは、下側に向かうにつれて、流路の断面積が広がる形状になっていても良い。この構成によって、排気誘導孔３４８内を通る空気が、よりスムーズに下側に流れるので、排気効率を高めることができる。
【０１１６】
センサ基板３５０は、図１３および図１７に示すように、ステータ３４０と下蓋３２２との間に配置される。センサ基板３５０は、円形リング状の本体部３５０ａと、本体部３５０ａの外周縁から径方向に対して斜め方向の外側に突出する３つの突出部３５０ｂと、を有する。本体部３５０ａはシャフト３３１が挿通される貫通孔を有する。センサ基板３５０は、下側インシュレータ３４４に固定される。
【０１１７】
センサ基板３５０には、３つの回転センサ３５１が少なくとも実装される。回転センサ３５１は例えばホール素子である。センサ基板３５０は、コイル３４２と電気的に接続されていてもよい。この場合に、コイル３４２に対して駆動信号を出力する駆動回路がセンサ基板３５０に実装されていてもよい。
【０１１８】
回転センサ３５１は、上述した実施形態の回転センサ５１と同様の構成を有する。すなわち、回転センサ３５１は、図１８に示すように、周方向に隣り合う下側内周壁部３４４ｃの先端部の間に挟まれて配置される。
【０１１９】
図１５に示すように、下蓋３２２は、ステータ３４０とセンサ基板３５０を収容したハウジング３２０の開口端３２０ａに取り付けられる。図１３に示すように、下蓋３２２の３つの貫通孔３２２ａは、少なくとも一部がセンサ基板３５０の本体部３５０ａの外周端よりも径方向外側に位置する。貫通孔３２２ａは、モールド部３４７の排気誘導孔３４８を通過した排気をモータ３１０の下側に排出する第２の排気口３９７となる。
【０１２０】
下蓋３２２の外周の切欠部３２２ｂは、軸方向に見て、ステータコア３４１の直線部３４１ｃと、上側インシュレータ３４３の平坦面３４３ｆと、下側インシュレータ３４４の平坦面３４４ｄとにほぼ一致して配置される。図１３に示すように、モータ３１０の下面の下側開口部３２４は、ステータ３４０とハウジング３２０との間の空気流路ＦＰを通過した排気を排出する第１の排気口３９６となる。
【０１２１】
［排気誘導部材、インペラ、インペラハウジング］
次に、排気誘導部材３６０、インペラ３７０、インペラハウジング３８０について説明する。
図１９は排気誘導部材３６０を下側から見た部分断面斜視図である。図２０および図２１は、インペラ３７０、排気誘導部材３６０、インペラハウジング３８０の一部を拡大して示す断面図である。なお、図２０は、後段において説明する第１の誘導路Ｄ１を示し、図２１は、後段において説明する第２の誘導路Ｄ２を示す。
【０１２２】
＜排気誘導部材＞
排気誘導部材（静翼部材）３６０は、モータ３１０のハウジング３２０に取り付けられる。排気誘導部材３６０は、円板リング状の支持体３６６ａと、支持体３６６ａの外周縁から上側に突出する円環状の突出部３６６ｃと、支持体３６６ａの外周縁から下側に延びる円筒状の隔壁リング（静翼支持リング）３６６ｂと、隔壁リング３６６ｂを径方向外側から囲む外周筒部３６５と、外周筒部３６５の下端から下側に延びる複数（図示では６つ）の内方誘導部３６７と、を有する。すなわち、排気誘導部材３６０は、隔壁リング３６６ｂの外側に位置する。
【０１２３】
支持体３６６ａは、図１９に示すように、中央部の下面から下側へ延びる円筒状の取付リング３６８と、支持体３６６ａの下面から下側へ突出する３つの円柱凸部３６９と、を有する。
３つの円柱凸部３６９は、同等の直径および高さを有し、周方向に１２０°おきの等間隔で配置される。本変形例において、円柱凸部３６９は中空であり、下側の端面３６９ａの中央に、軸方向に貫通する貫通孔３６９ｂを有する。
【０１２４】
図２０に示すように、排気誘導部材３６０の取付リング３６８には、ハウジング３２０の上側ベアリング保持部３２７が挿入される。排気誘導部材３６０の取付リング３６８の下面と円柱凸部３６９の下側の端面３６９ａとは、ハウジング３２０の上蓋部３２３の上面と接触する。円柱凸部３６９の貫通孔３６９ｂと上蓋部３２３のねじ孔３２３ａに挿通されるボルトＢＴにより、排気誘導部材３６０とモータ３１０とが締結される。
【０１２５】
隔壁リング３６６ｂと外周筒部３６５とは、径方向に対向している。隔壁リング３６６ｂと外周筒部３６５との間の隙間は、排気をモータ３１０内に案内する第１の誘導路Ｄ１および排気をモータ３１０の外周に放出する第２の誘導路Ｄ２を構成する。第１の誘導路Ｄ１は内方誘導部３６７が設けられた箇所に位置し、第２の誘導路Ｄ２は内方誘導部３６７同士の周方向の間に位置する。本変形例において、第１の誘導路Ｄ１および第２の誘導路Ｄ２は、周方向に沿ってそれぞれ６つ設けられている。
【０１２６】
複数の内方誘導部３６７は、図１２に示すように、それぞれハウジング３２０の貫通孔３２５又は貫通孔３２６に嵌る。図１９および図２０に示すように、内方誘導部３６７の外周面は、外周筒部３６５の外周面と揃った軸方向に延びる。内方誘導部３６７の内周面３６７ｂは、下側に向かうに従って径方向内側に傾いた傾斜面となっている。内方誘導部３６７の内周面３６７ｂの内側は、第１の誘導路Ｄ１としてインペラ３７０から放出された排気を径方向内側の貫通孔３２５、３２６に誘導する。また、内方誘導部３６７の内周面３６７ｂには、上下方向にリブ状に延びる複数の静翼３６７ａが設けられている。静翼３６７ａは、径方向において隔壁リング３６６ｂと内方誘導部３６７とを連結する。すなわち、隔壁リング（静翼支持リング）３６６ｂは、複数の静翼３６７ａを支持する。第１の誘導路Ｄ１を通過する排気は、静翼３６７ａ同士の間で整流されて効率よく貫通孔３２５、３２６に誘導される。なお、静翼３６７ａは、インペラ３７０の回転方向に傾いていてもよい。この場合は、インペラ３７０の回転方向に旋回成分を含んだ排気をさらに効率よく貫通孔３２５、３２６に誘導できる。
【０１２７】
図１９に示すように、内方誘導部３６７同士の周方向の間には、インペラ３７０から放出された排気を径方向外側に誘導してモータ３１０の外側に排出する第２の誘導路Ｄ２が設けられている。図２１に示すように、第２の誘導路Ｄ２は、隔壁リング３６６ｂの外周面３６６ｅと外周筒部３６５の内周面３６５ａとの間に位置する。第２の誘導路Ｄ２の下端には、第３の排気口３９５が設けられている。第３の排気口３９５は、第２の誘導路Ｄ２を通過した排気を下側に向けてモータ３１０の外側に排出する。この排気は、モータ３１０の外周面とモータ３１０を収容する筐体３１９の内周面３１９ａとの間を流れ、後述する最終排気口３１７ｂ（図１３参照）から最終的に排気される。
【０１２８】
隔壁リング３６６ｂの外周面３６６ｅは、下側に向かうに従って径方向外側に張り出す内側傾斜部３６６ｄを有する。一方で、外周筒部３６５の内周面３６５ａは、下端において外周筒部３６５の肉厚を薄くする外側傾斜部３６５ｂを有する。内側傾斜部３６６ｄおよび外側傾斜部３６５ｂが設けられていることで、第２の誘導路Ｄ２は、下側に向かうにつれて径方向の幅を維持したまま径方向の外側に移動する。第２の誘導路Ｄ２において、軸方向に垂直な平面における断面積は、第３の排気口３９５に近づくにつれて徐々に大きくなることになる。これにより、第３の排気口３９５から空気が放出される際の排気音を低減することができる。また、第３の排気口から空気が放出される際の排気効率が向上する。
【０１２９】
＜インペラ＞
インペラ３７０は、上側に開口した吸気口３７０ａから吸入された流体を、内部の流路を介して径方向外側へ向かって放出する。インペラ３７０は、インペラ本体３７１と、インペラハブ３７２とを有する。
【０１３０】
インペラ本体３７１は、ベース部３７３と、複数の動翼３７４と、シュラウド３７５とを有する。ベース部３７３は円盤状であり、中央部に軸方向に貫通する貫通孔３７３ａを有する。ベース部３７３の貫通孔３７３ａの周囲は、上側に張り出した円錐面状の斜面部３７３ｂとされている。動翼３７４は、ベース部３７３の上面において径方向の内側から外側へ延びる、周方向に湾曲した板状部材である。動翼３７４は、軸方向に沿って起立して配置される。シュラウド３７５は、軸方向の上側に向かって先窄まりの円筒状である。シュラウド３７５の中央の開口部がインペラ３７０の吸気口３７０ａである。ベース部３７３とシュラウド３７５は、動翼３７４により連結されている。動翼３７４は、上述の実施形態の動翼７４と同様の構成を有する。
【０１３１】
インペラハブ３７２は、軸方向に延びる筒部３７２ａと、筒部３７２ａの外周面の下部から径方向外側に広がる円盤状のフランジ部３７２ｂと、フランジ部３７２ｂの上面から上側に突出する複数の凸部３７２ｃと、を有する。筒部３７２ａは、上側の先端部に先窄まりのテーパー状の斜面部３７２ｄを有する。
【０１３２】
インペラハブ３７２は、筒部３７２ａをベース部３７３の貫通孔３７３ａに下側から挿入することでインペラ本体３７１に取り付けられる。筒部３７２ａは貫通孔３７３ａに圧入してもよいし、接着剤等を用いて固着させてもよい。インペラハブ３７２のフランジ部３７２ｂは、インペラ本体３７１を下側から支持する。フランジ部３７２ｂ上の凸部３７２ｃは、ベース部３７３の下面の凹部３７３ｃに嵌合する。凸部３７２ｃと凹部３７３ｃとが嵌合することで、インペラ本体３７１とインペラハブ３７２との周方向の相対移動が抑制される。
【０１３３】
インペラハブ３７２がフランジ部３７２ｂを備えていることで、フランジ部３７２ｂによってインペラ本体３７１を径方向の広い範囲にわたって下方から支持することができる。これにより、インペラ３７０を安定的に保持することができ、高速回転時の安定性を高くなる。
【０１３４】
インペラ３７０において、インペラハブ３７２の筒部３７２ａの先端の斜面部３７２ｄと、ベース部３７３の斜面部３７３ｂとは、上下方向に滑らかに接続されている。斜面部３７２ｄと斜面部３７３ｂとが、インペラ３７０の吸気口３７０ａから吸入した流体を径方向外側へ案内する円環状斜面３７０ｂを構成する。
【０１３５】
円環状斜面３７０ｂをインペラ本体３７１とインペラハブ３７２とにより構成することで、ベース部３７３の斜面部３７３ｂを高くしなくても、筒部３７２ａ（斜面部３７２ｄ）の長さを大きくすることで、円環状斜面３７０ｂの最大高さを大きくすることができる。したがって、ベース部３７３の厚さの増加を抑制しつつ、好ましい形状の円環状斜面３７０ｂを実現することができる。
【０１３６】
インペラハブ３７２は金属製であることが好ましい。これにより、シャフト３３１とインペラ３７０とを強固に連結することができる。したがって、インペラ３７０を安定的に高速回転させることができる。また、斜面部３７２ｄを金属面とすることができるため、円環状斜面３７０ｂの上側先端の表面を平滑化することができる。
【０１３７】
インペラ３７０は、インペラハブ３７２の筒部３７２ａに下側からシャフト３３１の上端部を嵌め込むことで、シャフト３３１に固定される。シャフト３３１と連結されたインペラ３７０は、図１３に示すように、排気誘導部材３６０の円環状の突出部３６６ｃの内側に配置される。したがって、突出部３６６ｃは、インペラ３７０の排気口３７０ｃの近傍に位置する。
【０１３８】
突出部３６６ｃは、後述するインペラハウジング３８０の排気ガイド部３８３とともに、インペラ３７０から放出される排気を下側へ案内する。本変形例では、突出部３６６ｃの外周面は、径方向外側に向かうに従って下方へ傾斜する傾斜面である。突出部３６６ｃの外周面は外側に凸の滑らかな曲面形状である。
【０１３９】
突出部３６６ｃの外周面の下端は、円筒状の隔壁リング３６６ｂの外周面と滑らかに連続している。したがって、突出部３６６ｃの下端において、軸方向に垂直な方向に対する傾斜角度はほぼ９０°である。突出部３６６ｃの上端は、インペラ３７０のベース部３７３の外周端の径方向のすぐ外側に位置する。突出部３６６ｃの上端は、ベース部３７３の下面よりも上側に位置する一方、ベース部３７３の外周端の上面よりも下側に位置する。
【０１４０】
本変形例の送風装置３０１では、突出部３６６ｃが上記した形状および配置を有することで、インペラ３７０から放出される空気を、流れを乱れさせることなく円滑に下方へ案内することができる。インペラ３７０の排気口３７０ｃの下端では、ベース部３７３の外周端からほぼ軸方向に垂直な方向に空気が放出される。本変形例では、突出部３６６ｃの上端がベース部３７３の上面よりも下がった位置にあるため、放出された空気が突出部３６６ｃに衝突することなく、突出部３６６ｃの外周面に沿って案内される。これにより、効率よく空気を搬送することができる。
【０１４１】
＜インペラハウジング＞
インペラハウジング３８０は、図１３に示すように、上側に吸気口３８０ａを有し、軸方向上側へ向かって先窄まりの円筒状である。インペラハウジング３８０は、吸気口３８０ａの開口端に位置する吸気ガイド部３８１と、インペラ３７０を収容するインペラハウジング本体部３８２と、インペラハウジング本体部３８２の外周縁から径方向外側および下側へスカート状に延びる排気ガイド部３８３と、排気ガイド部３８３の外周縁から上側に延びる外周取付リング３８４と、を有する。
【０１４２】
インペラハウジング本体部３８２は、インペラ３７０の上側を覆う。インペラハウジング本体部３８２は、インペラ３７０のシュラウド３７５に倣った断面形状を有する。インペラハウジング本体部３８２の内側面（下面）は、シュラウド３７５の外側面（上面）と、一様な間隔で対向する。
【０１４３】
インペラハウジング本体部３８２の内周側の上端部に、径方向内側へ突出する円環状の吸気ガイド部３８１が位置する。吸気ガイド部３８１は、図２０に示すように、シュラウド３７５の上端面３７５ｂを上側から覆っている。吸気ガイド部３８１の下面と、シュラウド３７５の上端面３７５ｂとの間には、径方向に延びる狭幅の隙間が存在する。
【０１４４】
インペラハウジング本体部３８２の外周側の端部には、シュラウド３７５の外周端を下側へ回り込み屈曲された周縁屈曲部３８２ａが設けられている。周縁屈曲部３８２ａは、下側に延びてシュラウド３７５の外側端面を径方向外側から囲む。周縁屈曲部３８２ａの内周面とシュラウド３７５の外側端面との間には、軸方向上側に延びる狭幅の隙間が存在する。
【０１４５】
排気ガイド部３８３は、インペラハウジング本体部３８２の外周縁から径方向外側および下側に延びる。図２０および図２１に示すように、排気ガイド部３８３は、インペラ３７０から径方向外側へ放出される排気を下側へ案内する排気流路３９２を構成する。排気ガイド部３８３の内周面は、上端から下端に向かって、軸方向に垂直な方向から軸方向に向かって滑らかに傾斜する。排気ガイド部３８３の内周面は、下端において、排気誘導部材３６０の外周筒部３６５の内周面３６５ａになだらかに接続され、排気流路３９２の外周側の壁面を構成する。
【０１４６】
外周取付リング３８４は、排気ガイド部３８３の外周縁から上側に延びて外周筒部３６５と固定される。外周取付リング３８４は、円筒形状を有している。外周取付リング３８４は、上端から径方向外側に延びるフランジ部３８４ａを有している。外周取付リング３８４の外周面は、排気誘導部材３６０の外周筒部３６５の内周面と嵌合する。また、フランジ部３８４ａは、外周筒部３６５の上端と接触して、排気誘導部材３６０に対するインペラハウジング３８０の上下方向の位置を決める。
【０１４７】
排気ガイド部３８３の上面には、周方向に延びる凹部３８６が設けられている。凹部３８６は、排気ガイド部３８３の上側に位置する。凹部３８６は、下側に凹む。すなわち、インペラハウジング３８０の上面には、排気ガイド部３８３の上側に位置して周方向に延び、下側に凹む凹部３８６が設けられている。凹部３８６は、周縁屈曲部３８２ａ、排気ガイド部３８３および外周取付リング３８４により構成される。インペラハウジング３８０は、凹部３８６が設けられることで排気ガイド部３８３の肉厚が均一化されている。また、凹部３８６には、外周取付リング３８４とインペラハウジング本体部３８２の周縁屈曲部３８２ａを径方向に繋ぐリブ３８５が設けられている。
インペラハウジング３８０は、金型成型により生産される。すなわち、インペラハウジング３８０は、２つ以上の金型同士の隙間に、流動状態の材料を注入し固化させて製造される。本変形例のインペラハウジング３８０は、樹脂材料からなり射出成型により作製される。また、インペラハウジング３８０をアルミニウム合金製とする場合には、インペラハウジング３８０は、アルミニウムダイカストにより作製される。金型成型により製造される成形品は、材料が固化する際の収縮により厚肉部の表面にひけを生じ寸法精度を低下させる虞がある。また、アルミニウムダイカストを行う場合には、厚肉部の内部に気孔（巣）が生じて強度を低下させる虞がある。
本変形例のインペラハウジング３８０は、外周取付リング３８４とインペラハウジング本体部３８２の周縁屈曲部３８２ａとの間に凹部３８６が設けられている。これにより、インペラハウジング３８０は、排気ガイド部３８３の肉厚を均一化して排気ガイド部３８３の周囲にヒケが生じることを抑制できる。また、同様に、インペラハウジング３８０は、排気ガイド部３８３の内部に気孔が生じることを抑制できる。さらに、本変形例のインペラハウジング３８０は、凹部３８６にリブ３８５が設けられていることで、インペラハウジング本体部３８２に対し外周取付リング３８４の剛性を高めることができる。これにより、インペラハウジング３８０は、外周取付リング３８４において、排気誘導部材３６０と強固に固定することができる。
【０１４８】
［基板ケース、制御基板］
＜基板ケース＞
図１２および図１３に示すように、基板ケース３１５は、モータ３１０の下側に取り付けられており制御基板３１１を囲む。基板ケース３１５は、円板状の底壁３１６と、底壁３１６の外縁から上側に延びる筒状部３１７と、を有する。筒状部３１７には、径方向に貫通して基板ケース３１５の内側と外側を連通する最終排気口３１７ｂが設けられている。最終排気口３１７ｂは、上述した各排気口（第１の排気口３９６、第２の排気口３９７および第３の排気口３９５）から排出された排気を合流させて排出する。
【０１４９】
図２２は、モータ３１０の側面図である。
図１２および図２２に示すように、筒状部３１７の上端面３１７ａは、中心軸Ｊを中心とする螺旋状に傾斜している。上端面３１７ａは、下側に向かうに従ってインペラ３７０の回転方向と同方向に傾斜する。また、上端面３１７ａの螺旋下端側には、最終排気口３１７ｂが位置している。排気誘導部材３６０の第３の排気口３９５から放出された排気は、モータ３１０の外周面とモータ３１０を収容する筐体３１９の内周面３１９ａとの間を下向きに流れる。この排気は、筒状部３１７の上端面３１７ａに達すると、上端面３１７ａの傾斜に沿って、旋回しながら最終排気口３１７ｂに達して排出される。上端面３１７ａは、第３の排気口３９５から斜め下に排出される旋回成分を含む排気を、流動方向を急角度で変えることなく最終排気口３１７ｂに案内するため、排気効率が低下することを低減できる。
【０１５０】
複数の第３の排気口３９５のうち少なくとも１つの第３の排気口３９５は、最終排気口３１７ｂの直上に位置する。ここでは、最終排気口３１７ｂの直上に位置する第３の排気口３９５を直上排気口３９５Ａと呼ぶ。本変形例において上端面３１７ａの最上端３１７ｃは、内方誘導部３６７の下側に位置している。これにより、直上排気口３９５Ａから排出された排気は、上端面３１７ａに誘導されることなく、上端面３１７ａに誘導されるよりもより短い距離を通って最終排気口３１７ｂから排出され、直上排気口３９５Ａからの排出効率を高めることができる。
【０１５１】
本変形例の上端面３１７ａは、周方向に沿って傾きが一定の傾斜面である場合を例示した。しかしながら、上端面３１７ａは、周方向に沿って傾きが変わる傾斜面であっても良い。この場合、上端面３１７ａは、上側から下側に向かうに従って徐々に傾斜角が緩やかになる傾斜面とすることが好ましい。例えば、上端面３１７ａが下側に凸となる曲面で、上端面が成す曲面の曲率半径中心が、上端面３１７ａよりも上側に位置するような曲面でも良い。これにより、下側に向かって流れる排気を、上端面３１７ａによって従って徐々に旋回させて最終排気口３１７ｂに誘導でき、排気効率を高めることができる。
【０１５２】
＜制御基板＞
制御基板３１１は、コイル３４２から延びるコイル線およびセンサ基板３５０と接続され、モータ３１０を制御する。制御基板３１１は、図１３に示すように、下蓋３２２に固定された複数（本変形例では３つ）の柱状部材３１３を介して、下蓋３２２に対して傾斜した状態でモータ３１０の下側に取り付けられている。柱状部材３１３は、下蓋３２２のネジ孔３２２ｄにネジ固定されている。複数の柱状部材３１３は、それぞれ異なる高さを有する。また、柱状部材３１３の下側端面には、傾斜面が設けられている。制御基板３１１は、柱状部材３１３の下側端面にスペーサ３１３ａを介してネジ固定されている。
【０１５３】
制御基板３１１は、基板ケース３１５の内部において、基板ケース３１５の最終排気口３１７ｂに向かって傾いている。すなわち、制御基板３１１の最下点は、最終排気口３１７ｂ側に位置している。
モータ３１０の内部を通過し第１の排気口３９６および第２の排気口３９７からモータ３１０の下側に排出される排気は、制御基板３１１に当たり、制御基板３１１を冷却する。さらに、制御基板３１１の上面３１１ａに当たった排気は、制御基板３１１の傾きに沿って最終排気口３１７ｂにスムーズに排出される。すなわち、制御基板３１１が最終排気口３１７ｂに向かって傾斜していることで、排気効率を高めることができる。さらに、制御基板３１１が傾斜して配置されることで、制御基板３１１を軸方向から見た際の投射面積が小さくなる。これにより、制御基板３１１の外縁と基板ケース３１５の筒状部３１７の内周面との間の隙間を大きくして、排気を制御基板３１１の下面３１１ｂ側に流入させることができる。したがって、制御基板３１１の下面３１１ｂに、コンデンサ等の発熱量の大きい実装部品を搭載した場合であっても、これらを効果的に冷却できる。
【０１５４】
制御基板３１１の軸方向位置は、制御基板３１１の上面３１１ａおよび上面３１１ａに搭載された実装部品がモータ３１０の下蓋３２２に干渉しない範囲で、近づけて配置することが好ましい。これにより、制御基板３１１の冷却効果が高まるのみならず、制御基板３１１の傾斜により排気を最終排気口３１７ｂに誘導する効果をも高めることができる。
【０１５５】
＜送風動作＞
本変形例の送風装置３０１は、モータ３１０によりインペラ３７０を回転させることで、図１３に示すように、吸気口３８０ａからインペラ３７０内に空気を引き込み、インペラ３７０内の空気流路を介して径方向外側へ空気を放出する。インペラ３７０から放出された排気は、排気流路３９２を通過して排気誘導部材３６０に流入する。排気流路３９２は、インペラハウジング３８０の排気ガイド部３８３の内周面と突出部３６６ｃの外周面の間に位置し、インペラ３７０から径方向外側に向かって放出された排気を下側に向ける。排気流路３９２を介し下側に向いて流れる排気は、排気誘導部材３６０において周方向に交互に配置された第１の誘導路Ｄ１と第２の誘導路Ｄ２とに分岐して流れる。
【０１５６】
図２０に示すように、第１の誘導路Ｄ１を通過する排気は、内方誘導部３６７の内周面３６７ｂにより径方向内側に案内されるとともに、静翼３６７ａにより整流されて貫通孔３２５、３２６からモータ３１０の内部に流入する。
【０１５７】
貫通孔３２５を介してモータ３１０の内部に流入した排気は、図１８に示すステータ３４０とハウジング３２０との間の空気流路ＦＰに流入する。空気流路ＦＰ内において、排気は下側へ流れる。図１６に示したように、空気流路ＦＰ内において、上側インシュレータ３４３の上側傾斜凸部３４３ｇと下側インシュレータ３４４の下側傾斜凸部３４４ｇが、排気の旋回成分を下側に向ける。空気流路ＦＰ内には、直線部３４１ｃ（ステータコア３４１）の外周面が露出しており、排気により冷却される。空気流路ＦＰ内には複数の板状部３４５が位置しており、空気流路ＦＰ内を流通する排気を整流する。空気流路ＦＰを流通した排気は、第１の排気口３９６としての下側開口部３２４から下方へ排出される。
【０１５８】
貫通孔３２６を介してモータ３１０内に流入した排気は、図１８に示すように、隙間ＣＬを介してステータ３４０の内側へ流入する。隙間ＣＬを囲む第１側端面３４３ｂと第２側端面３４３ｃと傾斜部材３４６は、隙間ＣＬを通過する排気をモールド部３４７の排気誘導孔３４８に案内する。この構成により、モータ３１０の発熱部位であるコイル３４２を冷却することができる。加えて、モールド部３４７の排気誘導孔３４８によって、排気を効率よく下側に案内することができる。排気誘導孔３４８から下側に放出された排気は、第２の排気口３９７としての貫通孔３２２ａから下方へ排出される。
【０１５９】
第１の排気口３９６および第２の排気口３９７から排出された排気は、傾斜して固定された制御基板３１１の上面３１１ａに当たり、制御基板３１１を冷却する。さらに、制御基板３１１の上面３１１ａに沿って基板ケース３１５の最終排気口３１７ｂに向かって案内され排出される。
【０１６０】
一方で、図２１に示すように、第２の誘導路Ｄ２を通過する排気は、隔壁リング３６６ｂの内側傾斜部３６６ｄにより径方向外側に移動しながら第３の排気口３９５を介して下側に放出される。第３の排気口３９５から下側へ放出された排気は、モータ３１０のハウジング３２０の外周面に沿って下側へ流れる。図２２に示すように、ハウジング３２０の外周面に沿って流れる排気の一部は、基板ケース３１５の上端面３１７ａに沿って螺旋状に旋回して最終排気口３１７ｂに案内され排出される。上端面３１７ａが、インペラ３７０の回転方向と一致する方向に傾斜していることで、第３の排気口３９５から放出されインペラ３７０回転方向に旋回する成分を含む排気を、モータ３１０の外周面を沿って効率よく最終排気口３１７ｂに誘導できる。また、ハウジング３２０の外周面に沿って流れる排気の一部は、上端面３１７ａを介さずに、上端面３１７ａに誘導されるよりもより短い距離を通って最終排気口３１７ｂに達して排出される。
【０１６１】
＜変形例２＞
次に、上述の実施形態およびその変形例のインペラ７０、３７０に代えて採用可能なインペラ２７０について、図２３を基に説明する。なお、上述の実施形態および変形例と同一態様の構成要素については、同一符号を付し、その説明を省略する。
【０１６２】
インペラ２７０は、インペラ本体２７１と、インペラハブ２７２とを有する。インペラ本体２７１は、ベース部２７３と、複数の動翼２７４と、シュラウド２７５とを有する。すなわち、インペラ２７０は、ベース部２７３と、複数の動翼２７４と、シュラウド２７５と、を有する。ベース部２７３は、複数の動翼２７４の下側に位置する。ベース部２７３は円盤状である。シュラウド２７５は、動翼２７４の上側において上側に向かうにつれ径方向内側に位置する。つまり、シュラウド２７５は、円筒状である。ベース部２７３とシュラウド２７５は、動翼２７４により連結されている。
【０１６３】
ベース部２７３の上面は、径方向外側に向かうにつれて軸方向下側に傾斜するベース部傾斜部２７３ｄを有する。ベース部傾斜部２７３ｄが設けられることで、インペラ２７０の排気口２７０ｃの下端では、ベース部傾斜部２７３ｄに沿って斜め下方に空気が放出される。インペラ２７０から放出された空気は、排気ガイド部３８３の内周面に沿って下側に案内される。排気は、インペラ２７０により斜め下方に放出されることでよりスムーズに下側に向きを変えることが可能となり排気効率が高まる。
さらに、ベース部傾斜部２７３ｄが設けられることで、ベース部２７３の径方向外側に位置する突出部３６６ｃを小さくして、ベース部２７３の直径をシュラウド２７５の直径より大きくすることができる。すなわち、ベース部２７３の外縁２７３ｅは、シュラウド２７５の外縁２７５ｃより径方向外側に位置させることが可能となる。したがって、シュラウド２７５の寸法を大きくすることなく、インペラ２７０（特に動翼２７４）の直径を大きく構成することが可能となる。一般的に、インペラの直径を大きくすることで、低回転であっても高出力の送風装置を構成できる。本変形例によれば、径方向寸法が小さく低回転でありながら高出力な送風装置を提供できる。
【０１６４】
＜変形例３＞
図２４は、変形例３の送風装置５０１の縦断面図である。なお、本変形例について、上述の一実施形態と同一の構成要素については、同一符号を付し、その説明を省略する。
【０１６５】
送風装置５０１は、モータ５１０と、環状カバー部５６６と、インペラ５７０と、インペラハウジング５８０と、を有する。モータ５１０は、上下方向に延びる中心軸Ｊに沿って配置されるシャフト５３１を備える。モータ５１０の径方向外端は、インペラ５７０の径方向外端よりも径方向外側に位置する。
【０１６６】
インペラ５７０は、シャフト５３１に固定される。インペラ５７０は、ベース部５７３と、シュラウド５７５と、複数の動翼５７４と、を有する。ベース部５７３は、シャフト５３１に直交する方向に拡がる、平板状の部材である。シュラウド５７５は、ベース部５７３よりも上側に位置し、上側に開口する。複数の動翼５７４は、ベース部５７３とシュラウド５７５とに接続され、周方向に配列される。
【０１６７】
インペラハウジング５８０は、インペラ５７０の上方及び径方向外側を囲む。インペラハウジング５８０は、排気ガイド部５８３を有する。排気ガイド部５８３は、インペラ５７０の径方向外端よりも外側において、径方向外側及び下側へ延びる。インペラハウジング５８０は、環状カバー部５６６の下端部よりも上側において、排気口５９５を有する。これにより、排気口５９５がモータ５１０よりも上側に位置する場合において、後述する傾斜面５６６ｅと排気ガイド部５８３の内周面との間に構成される流路の長さが短い場合でも、送風装置５０１の送風効率を向上させることが可能である。すなわち、流路内において流路断面積が局所的に狭くなる領域を構成することができるため、当該領域において空気流の静圧が高まり、流路内で空気が剥離して乱流が発生することを低減できる。
【０１６８】
環状カバー部５６６は、モータ５１０よりも軸方向上側に位置する。環状カバー部５６６は、環状カバー平面部５６６ａと、突出部５６６ｃと、を有する。環状カバー平面部５６６ａは、シャフト５３１と直交する方向に拡がり、ベース部５７３と軸方向に対向する。突出部５６６ｃは、インペラ５７０の径方向外端よりも外側において、環状カバー平面部５６６ａよりも上側に突出する。突出部５６６ｃは、傾斜面５６６ｅを有する。傾斜面５６６ｅは、外周面が径方向外側に向かうに従って下方へ傾斜する。
【０１６９】
突出部５６６ｃの内端の径方向位置と、排気ガイド部５８３の内端の径方向位置とは、同じである。すなわち、排気ガイド部５８３は、内端から外側に向かうに従って、径方向外側及び下側へなめらかに湾曲する。また、突出部５６６ｃの傾斜面５６６ｅは、内端から外側に向かうに従って、径方向外側及び下側へなめらかに湾曲する。これにより、インペラから排出された空気は、排気ガイド部５８３と傾斜面５６６ｅとによって滑らかに径方向外側及び下側へ誘導される。よって、流路内において、インペラハウジング５８０の内周面近傍や、傾斜面５６６ｅの近傍で空気の乱流が発生することが低減できるため、送風装置５０１の送風効率が向上する。
【０１７０】
排気ガイド部５８３は、ガイド部内側凹部５８３ｂと、ガイド部内側凸部５８３ｃと、を有する。ガイド部内側凹部５８３ｂは、内周面が窪む部位である。ガイド部内側凸部５８３ｃは、ガイド部内側凹部５８３ｂよりも下側に位置し内周面が膨らむ部位である。傾斜面５６６ｅと排気ガイド部５８３の内周面との距離は、ガイド部内側凸部５８３ｃと傾斜面５６６ｅとが対向する領域において、最短となる。これにより、送風装置５０１の効率が向上する。すなわち、インペラ５７０によって空気が径方向外側へ排出される際に、傾斜面５６６ｅと排気ガイド部５８３の内周面との距離が最短になる領域を通過する。当該領域においては、流路の断面積が局所的に狭くなるため、静圧が高くなり、排気ガイド部５８３の内周面や、傾斜面５６６ｅにおいて、空気の流れが剥離することが低減される。従って、傾斜面５６６ｅと排気ガイド部５８３の内周面との間に構成される流路内で乱流が発生することが低減され、流路内を効率良く誘導できるため、送風装置５０１の効率が向上する。
【０１７１】
送風装置５０１は、内側排気口５９６を有する。排気口５９５と内側排気口５９６とは、周方向において交互に配置される。インペラ５７０によって径方向外側に排出された空気の一部は、流路を通り、排気口５９５を介して径方向外側へ排出される。一方、インペラ５７０によって径方向外側に排出された空気の他の一部は、流路を通り、内側排気口５９６を介してモータ５１０の内側へ誘導される。
【０１７２】
環状カバー部５６６は、排気口５９５と内側排気口５９６との間において、環状カバー接続部５６６ｆを有する。環状カバー接続部５６６ｆの少なくとも一部は、固定される。つまり、インペラハウジング５８０の少なくとも一部と、環状カバー部５６６の少なくとも一部とは、固定される。これにより、インペラハウジング５８０と、環状カバー部５６６とを、高精度に組み立てることができる。すなわち、インペラハウジング５８０の内周面と、環状カバー部５６６との位置関係を高精度に管理することができる。よって、インペラハウジング５８０の内周面と、傾斜面５６６ｅとの間に構成される流路の断面積を精度良く構成することができるため、流路内において気圧のむらが発生することが低減できる。また、インペラハウジング５８０の振動を低減することができる。
【０１７３】
図２５は、上述の実施形態または何れかの変形例に記載の送風装置を有する掃除機１００の斜視図である。掃除機１００は、上述の送風装置を有する。これにより、小型の掃除機１００においても、大型のモータを搭載することができる。なお、上述の実施形態または何れかの変形例に記載の送風装置は、掃除機１００に限らず、他の電気機器にも搭載できる。
【０１７４】
以上に、本発明の実施形態および変形例を説明したが、実施形態および各変形例における各構成およびそれらの組み合わせ等は一例であり、本発明の趣旨から逸脱しない範囲内で、構成の付加、省略、置換およびその他の変更が可能である。また、本発明は実施形態によって限定されることはない。
【符号の説明】
【０１７５】
１，３０１，５０１…送風装置、１０，３１０，５１０…モータ、２０，３２０…ハウジング、３１，３３１，５３１…シャフト、４０，３４０…ステータ、５０ａ，３５０ａ…本体部、５０ｂ，６６ｃ，６８ｂ，３５０ｂ，３６６ｃ，５６６ｃ…突出部、６０，６１…静翼部材、６０ａ…静翼支持リング、６１ａ…第１静翼部材、６１ｂ…第２静翼部材、６２…下部静翼支持リング、６２ａ…傾斜部、６３，６８，３６８…取付リング、６６ｂ…上部静翼支持リング、６６ｅ，３４８ｃ，５６６ｅ…傾斜面、６７ａ…上部静翼、６７ａ，３６７ａ…静翼、６７ｂ…下部静翼、６８ａ，７２ａ，３７２ａ…筒部、７０，２７０，３７０，５７０…インペラ、７０ａ，８０ａ，３７０ａ，３８０ａ…吸気口、７０ｃ，９５，２７０ｃ，３７０ｃ，５９５…排気口、７２ｃ，３７２ｃ…凸部、７３，２７３，３７３，５７３…ベース部、７３ｃ，３７３ｃ，３８６…凹部、７４，２７４，３７４，５７４…動翼、７５，２７５，３７５，５７５…シュラウド、８０，３８０，５８０…インペラハウジング、８２，３８２…インペラハウジング本体部、８３，３８３，５８３…排気ガイド部、８３ｂ，５８３ｂ…ガイド部内側凹部、８３ｃ，５８３ｃ…ガイド部内側凸部、１００…掃除機、２７３ｄ…ベース部傾斜部、２７３ｅ，２７５ｃ…外縁、３１１ａ…上面、３１１ｂ…下面、３１９ａ，３６５ａ，３６７ｂ…内周面、３６０…排気誘導部材（静翼部材）、３６５…外周筒部、３６６ｂ…隔壁リング（静翼支持リング）、３６６ｅ…外周面、３８４…外周取付リング、３９５…第３の排気口（排気口）、Ｊ…中心軸
【図１】
2016194254.tif 000003
【図２】
2016194254.tif 000004
【図３】
2016194254.tif 000005
【図４】
2016194254.tif 000006
【図５】
2016194254.tif 000007
【図６】
2016194254.tif 000008
【図７】
2016194254.tif 000009
【図８】
2016194254.tif 000010
【図９】
2016194254.tif 000011
【図１０】
2016194254.tif 000012
【図１１】
2016194254.tif 000013
【図１２】
2016194254.tif 000014
【図１３】
2016194254.tif 000015
【図１４】
2016194254.tif 000016
【図１５】
2016194254.tif 000017
【図１６】
2016194254.tif 000018
【図１７】
2016194254.tif 000019
【図１８】
2016194254.tif 000020
【図１９】
2016194254.tif 000021
【図２０】
2016194254.tif 000022
【図２１】
2016194254.tif 000023
【図２２】
2016194254.tif 000024
【図２３】
2016194254.tif 000025
【図２４】
2016194254.tif 000026
【図２５】
2016194254.tif 000027
【国際調査報告】
2016194254.tif 000028
2016194254.tif 000029
2016194254.tif 000030